(57)【要約】【課題】生理の臭いを抑えることができる生理用吸収性物品を提供すること。【解決手段】生理用吸収性物品１は、高吸収性ポリマー４１、吸水保持量が０．７ｇ／ｇ以下の低水分保持性繊維４２、及び抗菌剤４５を含有する吸収体４を備えている。血球凝集剤８が、ポリマーリッチ領域ＰＴと繊維リッチ領域ＦＴとを有しているえ吸収体４に配されているか、又は吸収体４よりも肌対向面側に位置する生理用該吸収性物品１の構成部材に配されている。【選択図】図５
2017217071.tif 000002
【特許請求の範囲】
【請求項１】
高吸収性ポリマー、吸水保持量が０．７ｇ／ｇ以下の低水分保持性繊維、及び抗菌剤を含有する吸収体を備え、
血球凝集剤が、前記吸収体に配されているか、又は該吸収体よりも肌対向面側に位置する構成部材に配されている、生理用吸収性物品。
【請求項２】
前記血球凝集剤は、前記吸収体に配されており、
前記吸収体は、断面視して、前記低水分保持性繊維の質量と前記高吸収性ポリマーの質量との合計量に対する高吸収性ポリマーの質量比率が、相対的に高いポリマーリッチ領域と、該ポリマーリッチ領域よりも相対的に低い繊維リッチ領域とを有している、請求項１記載の生理用吸収性物品。
【請求項３】
前記繊維リッチ領域を肌対向面側に配して使用される部分において、前記血球凝集剤は、少なくとも該繊維リッチ領域に存在している請求項２に記載の生理用吸収性物品。
【請求項４】
前記血球凝集剤及び前記抗菌剤は、平面視して、着用時に着用者の排泄部に対向配置される排泄部対向部に配されており、
前記繊維リッチ領域を肌対向面側に配して使用される部分において、前記抗菌剤は、少なくとも前記ポリマーリッチ領域に存在している請求項２又は３に記載の生理用吸収性物品。
【請求項５】
前記血球凝集剤は、カチオン性ポリマーである、請求項１〜４の何れか１項に記載の生理用吸収性物品。
【請求項６】
前記生理用吸収性物品は、スリットを有しており、
前記スリットは、前記生理用吸収性物品を断面視して、前記血球凝集剤の配された前記生理用吸収性物品の構成部材に形成されている請求項１〜５の何れか１項に記載の生理用吸収性物品。
【請求項７】
前記スリットは、吸収体に設けられた吸収体スリットである、請求項６に記載の生理用吸収性物品。
【発明の詳細な説明】
【技術分野】
【０００１】
本発明は、月経時に使用されうる、生理用吸収性物品に関する。
【背景技術】
【０００２】
生理用ナプキンを長時間使用する場合や、生理用ナプキンの使用中に経血の量が多い場合等に、抗菌作用で排泄部を清潔に保つことができると共に生理の臭いを抑えることができる生理用ナプキンのニーズがある。使用中の生理用ナプキンの生理の臭いは、経血が排泄されることに加え、生理用ナプキンの着用中における排泄部対向部の温度・湿度・ｐＨ等によって皮膚の表面等にいる菌が繁殖することが一要因と考えられている。
【０００３】
また、血液自身に作用して血液の状態を変化させる剤を吸収性物品に適用して、吸収性物品の諸性能を向上させる技術が知られている。特許文献１には、部分水和無水ジカルボン酸コポリマー又はポリカチオンを血液ゲル化剤として含むナプキンが開示されている。特許文献２には、ポリプロピレンオキシド及びポリエチレンオキシドを含むトリブロックポリマー又はポリカチオンを流体処理材として含むパーソナルケア吸収性物品が提案されている。
【０００４】
また、これらとは別の技術として、特許文献３には、抗菌剤でコートされている抗菌性吸収ポリマーを有する吸収体を備えた吸収性物品が提案されている。
【先行技術文献】
【特許文献】
【０００５】
【特許文献１】特開昭５７−１５３６４８号公報
【特許文献２】特表２００２−５２８２３２号公報
【特許文献３】特表平１１−５０１３６２号公報
【発明の概要】
【発明が解決しようとする課題】
【０００６】
特許文献１及び特許文献２に記載の吸収性物品には、抗菌剤を使用することに関して何ら記載されておらず、自ずと血液の状態を変化させる剤と抗菌剤との配置関係に関して記載も示唆もされていない。
【０００７】
特許文献３には、血球凝集剤を使用することに関して何ら記載されておらず、自ずと抗菌剤と血球凝集剤との配置関係に関して記載も示唆もされていない。
【０００８】
したがって本発明の課題は、前述した従来技術が有する欠点を解消し得る生理用吸収性物品を提供することにある。
【課題を解決するための手段】
【０００９】
本発明は、高吸収性ポリマー、吸水保持量が０．７ｇ／ｇ以下の低水分保持性繊維、及び抗菌剤を含有する吸収体を備え、血球凝集剤が、前記吸収体に配されているか、又は該吸収体よりも肌対向面側に位置する構成部材に配されている、生理用吸収性物品を提供するものである。
【発明の効果】
【００１０】
本発明の生理用吸収性物品によれば、生理の臭いを抑えることができる。
【図面の簡単な説明】
【００１１】
【図１】図１は、本発明の生理用吸収性物品の好ましい一実施形態である生理用ナプキンの平面図である。
【図２】図２は、図１に示す生理用ナプキンの有する吸収体の肌対向面側（表面シート側）を示す平面図である。
【図３】図３は、図１のＩＩＩ−ＩＩＩ線断面を模式的に示す断面図である。
【図４】図４は、図１に示す生理用ナプキンの備える吸収体の拡大断面図である。
【図５】図５は、図４に示す吸収体を構成する吸収性シート１枚の要部拡大模式断面図である。
【図６】図６は、図１に示す生理用ナプキンの備える表面シートの斜視図である。
【図７】図７は、本発明の生理用吸収性物品の備える他の実施形態の吸収体の拡大断面図である。
【図８】図８は、本発明の生理用吸収性物品の備える更に他の実施形態の吸収体の拡大断面図である。
【発明を実施するための形態】
【００１２】
以下、本発明の生理用吸収性物品を、その好ましい一実施形態である生理用ナプキン１（以下、「ナプキン１」とも言う。）に基づき図面を参照して説明する。ナプキン１は、高吸収性ポリマー４１、吸水保持量が０．７ｇ／ｇ以下の低水分保持性繊維４２及び抗菌剤４５を含有する吸収体４を備えており、血球凝集剤８を備えている。図１には、本発明の生理用吸収性物品の好ましい一実施形態であるナプキン１の平面図が示されており、図２には、図１に示す吸収体の肌対向面側（表面シート側）を示す平面図が示されている。図３には、ナプキン１の断面図が示されている。なお、本発明の生理用吸収性物品は、女性の生理時に好ましく利用されるものであり、経血吸収用途で好ましいものである。
【００１３】
ナプキン１は、図１及び図３に示すように、吸収体４と、該吸収体４を挟持する表面シート２及び裏面シート３とを備えている。また、本実施形態のナプキン１では、吸収体４が吸収性シートから形成されており、具体的には、吸収性シートが複数層厚み方向に重なった構造となっている。ナプキン１では、血球凝集剤８は、吸収性シートから形成された吸収体４に配されている。即ち、本実施形態のナプキン１では、吸収性シートから形成された吸収体４は、高吸収性ポリマー４１、低水分保持性繊維４２を含む繊維、抗菌剤４５及び血球凝集剤８を含有している。本実施形態では、ナプキン１は、肌対向面を形成する液透過性の表面シート２、非肌対向面を形成する裏面シート３、及びこれら両シート２，３間に介在され、吸収性シートからなる吸収体４を具備する吸収性本体１０を有している。
【００１４】
ナプキン１の吸収性本体１０は、図１に示すように、着用時に着用者の排泄部（膣口等）に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。ナプキン１及び吸収性本体１０は、着用者の前後方向に対応する縦方向Ｘ及び該縦方向Ｘに直交する横方向Ｙを有する。即ち、吸収性本体１０は、縦方向Ｘに、前方部Ａ、排泄部対向部Ｂ及び後方部Ｃの順番で区分される。
【００１５】
また、本明細書において、肌対向面は、ナプキン１又はその構成部材（例えば表面シート２）における、ナプキン１の着用時に着用者の肌側に向けられる面であり、非肌対向面は、ナプキン１又はその構成部材における、ナプキン１の着用時に肌側とは反対側（着衣側）に向けられる面である。また、縦方向Ｘは、ナプキン１及び吸収性本体１０の長手方向に一致し、横方向Ｙは、ナプキン１及び吸収性本体１０の幅方向（長手方向に直交する方向）に一致する。
【００１６】
本実施形態では、ナプキン１は、図１及び図３に示すように、吸収性本体１０に加えて更に、吸収性本体１０における排泄部対向部Ｂの縦方向Ｘに沿う両側部それぞれから横方向Ｙの外方に延出する一対のウイング部１０Ｗ，１０Ｗを有している。
【００１７】
尚、本発明の生理用吸収性物品において、排泄部対向部Ｂは、本実施形態のナプキン１のようにウイング部１０Ｗを有する場合には、生理用吸収性物品の縦方向（生理用吸収性物品の長手方向、図中のＸ方向）においてウイング部１０Ｗを有する領域（一方のウイング部１０Ｗの縦方向Ｘに沿う付け根と他方のウイング部１０Ｗの縦方向Ｘに沿う付け根とに挟まれた領域）を意味する。ウイング部を有しない生理用吸収性物品における排泄部対向部Ｂは、生理用吸収性物品が３つ折りの個装形態に折り畳まれた際に生じる、該生理用吸収性物品を横方向（生理用吸収性物品の幅方向、図中のＹ方向）に横断する２本の折曲線（図示せず）について、該生理用吸収性物品の縦方向Ｘの前端から数えて第１折曲線と第２折曲線とに囲まれた領域を意味する。
【００１８】
本実施形態のナプキン１では、表面シート２は、図１に示すように、吸収体４の肌対向面の全域を被覆し、吸収体４の縦方向Ｘに沿う両側縁から横方向Ｙの外方に延出している。一方、裏面シート３は、吸収体４の非肌対向面の全域を被覆し、更に吸収体４の縦方向Ｘに沿う両側縁から横方向Ｙの外方に延出して、後述するサイドシート７と共にサイドフラップ部１０Ｓを形成している。表面シート２と裏面シート３とは、吸収体４の縦方向Ｘの両端縁からの延出部分において、接着剤、ヒートシール、超音波シール等の公知の接合手段によって互いに接合されている。尚、表面シート２及び裏面シート３それぞれと吸収体４との間は接着剤によって接合されていてもよい。
【００１９】
ナプキン１では、サイドシート７は、図１及び図３に示すように、吸収性本体１０の肌対向面（表面シート２の肌対向面）における縦方向Ｘに沿う両側部に配されている。好適には、サイドシート７は、平面視において吸収体４の縦方向Ｘに沿う左右両側部に重なるように、吸収性本体１０の縦方向Ｘの全長に亘って配されている。
【００２０】
ナプキン１では、一対のサイドシート７，７は、それぞれ、図１に示すように、排泄部対向部Ｂに位置する線状の第１接合線６１と、該第１接合線６１の縦方向Ｘの前後（前方部Ａ及び後方部Ｃ）に位置する線状の第２接合線６２とで表面シート２に接合されている。ナプキン１では、第１接合線６１は、平面視において横方向Ｙの外方に向けて凸の曲線状であり、第２接合線６２は、平面視において縦方向に交互に交差するように延びる線状（ジグザグ線状）である。このように、サイドシート７が、第１接合線６１及び第２接合線６２にて表面シート２に接合されて、吸収性本体１０の肌対向面に固定されると、図３に示すように、第１接合線６１及び第２接合線６２よりも横方向Ｙの内方に、サイドシート７と表面シート２とで画成される空間部Ｐが形成される。この空間部Ｐは、吸収性本体１０の横方向Ｙの中央に向けて開口しているので、横方向Ｙの中央から外方へ流れる経血等の体液が空間部Ｐに収容されるようになり、結果として体液の漏れが効果的に防止できる。尚、一対のサイドシート７，７のそれぞれの自由端部に、縦方向Ｘに伸長状態の弾性部材を配して、縦方向Ｘに沿う一対の防漏カフを配置してもよい。防漏カフは、起立性を有するものであり、肌対向面に配設された経血の横漏れを防止することができる。
【００２１】
ナプキン１では、サイドフラップ部１０Ｓは、図１に示すように、排泄部対向部Ｂにおいて横方向Ｙの外方に向かって大きく張り出しており、これにより吸収性本体１０の縦方向Ｘに沿う左右両側に、一対のウイング部１０Ｗ，１０Ｗが延設されている。
【００２２】
ウイング部１０Ｗは、ショーツ等の着衣のクロッチ部の非肌対向面側に折り返されて用いられるものである。ナプキン１では、ウイング部１０Ｗは、図１に示すように、平面視において、下底（上底よりも長い辺）が、吸収性本体１０の縦方向Ｘに沿う側部側に位置する略台形形状を有している。ウイング部１０Ｗの非肌対向面には、該ウイング部１０Ｗ（ナプキン１）をショーツ等の着衣（図示せず）に固定するウイング部粘着部（図示せず）が形成されており、このウイング部粘着部によって、使用時に、着衣のクロッチ部の非肌対向面（外面）側に折り返されたウイング部１０Ｗを、該クロッチ部に粘着固定できるようになされている。また、吸収性本体１０の非肌対向面にも、吸収性本体１０を、ショーツ等の着衣に固定するための本体粘着部（図示せず）が形成されている。
【００２３】
図４には、図３に示す断面図における吸収体４の拡大断面図が示されている。また、図５には、図４に示す吸収体４を構成する吸収性シート１枚の要部拡大断面図が示されている。ナプキン１では、１枚の吸収性シートは、図５に示すように、三次元に分散配置された高吸収性ポリマー４１と、低水分保持性繊維４２を含む繊維と、抗菌剤４５と、血球凝集剤８とを有している。吸収性シートは、断面視して、低水分保持性繊維４２を含む繊維の質量と高吸収性ポリマー４１の質量の合計量に対する高吸収性ポリマー４１の質量比率が、相対的に高いポリマーリッチ領域ＰＴと、該ポリマーリッチ領域ＰＴよりも相対的に低い繊維リッチ領域ＦＴとを有している。ナプキン１では、ポリマーリッチ領域ＰＴと繊維リッチ領域ＦＴとは吸収性シートからなる吸収体４の厚み方向に区分されている。吸収性シートは、低水分保持性繊維４２を含む繊維を含み、高吸収性ポリマー４１、抗菌剤４５及び血球凝集剤８が吸収体４の内部に含まれた一体構造となっている。吸収性シートとしては、湿潤状態の高吸収性ポリマー４１に生じる粘着力や別に添加した接着剤や接着性繊維等のバインダーを介して、低水分保持性繊維４２を含む繊維どうしの間や高吸収性ポリマー４１と低水分保持性繊維４２を含む繊維との間を結合させてシート状としたもの等を好ましく用いることができる。なお、吸収性シートとは、シート状に成型されている吸収体のことであり、一般的に吸収性材料を積もらせた構造の吸収体とは区別される。吸収性シートの代表的なものとしては、特許２９６３６４７号記載のものや、特許２９５５２２３号記載のものなどが挙げられる。
【００２４】
吸収体４の有する高吸収性ポリマー４１としては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。
【００２５】
吸収体４の有する繊維としては、低水分保持性繊維４２を含んでいれば良いが、低水分保持性繊維４２のみから形成されていることが好ましい。本実施形態のナプキン１では、吸収体４の吸収性シートを構成する繊維が低水分保持性繊維４２のみから形成されている。ここで、低水分保持性繊維４２とは、吸水保持量が０．７ｇ／ｇ以下の繊維を意味し、言い換えれば、水で膨潤し難い繊維を意味する。経血から分離された血漿が吸収体４を構成する繊維内に保持され難く、吸収体４を構成する高吸収性ポリマー４１で吸収され易くする観点から、吸収体４の有する繊維における低水分保持性繊維４２の含有量は、３０質量％以上であることが好ましく、５０質量％以上であることが一層好ましい。同様の観点から、低水分保持性繊維４２の吸水保持量は、０．７ｇ／ｇ以下であり、０．６ｇ／ｇ以下であることが好ましく、０．５ｇ／ｇ以下であることが更に好ましい。繊維の吸水保持量は、下記方法により測定される。
【００２６】
＜繊維の吸水保持量の測定方法＞
測定は、ＪＩＳ  Ｋ  ７２２３（１９９６）に準拠して行う。測定試料である吸収体４を構成する繊維１．００ｇを精秤して吸水前の繊維を作製する。次に、吸水前の繊維を、２５℃に調温した生理食塩水（０．９重量％塩化ナトリウム水）に浸漬させる。浸漬開始から３０分後に繊維を生理食塩水から取り出し、吸水後の繊維を遠心脱水器（コクサン（株）製、型式Ｈ−１３０Ｅ特型）を用いて脱水する。脱水条件は、７００ｒｐｍで１０分間とする。遠心脱水後の繊維の重量を測定し、次式に従って繊維の遠心保持量を算出する。次式中、各質量はｇ単位である。
繊維の遠心保持量＝（遠心脱水後の繊維の質量−吸水前の繊維の質量）／吸水前の繊維の質量
測定は５回行い、上下各１点の値を除外し、残る３点の平均値を繊維の吸水保持量とする。尚、測定は２３±２℃、湿度５０±５％で行い、測定の前には試料である繊維を測定と同じ環境で２４時間以上保存する。
【００２７】
吸水保持量が０．７ｇ／ｇ以下の繊維としては、合成繊維、セルロース系の再生繊維又は架橋セルロース繊維等が挙げられる。これらの繊維は１種又は２種以上を用いることができる。具体的には、水で膨潤し難い親水性繊維が好ましく用いられ、該親水性繊維としては、繊維自体が膨潤し難い樹脂、例えばポリエチレン、ポリプロピレン、ポリエステル、ポリウレタン、及びこれら２種以上の複合体等の合成樹脂を用いて形成された繊維が挙げられる。尚、これらの合成樹脂は、その表面が疎水性であるため、親水化処理を行う必要がある。親水化処理の方法としては、前記合成樹脂からなる繊維に、界面活性剤の溶液を噴霧・塗工し、その表面に付着させる方法や、予め親水性の界面活性剤を前記合成樹脂に練り込み、その後、繊維に成型し、その表面に界面活性剤をブリードさせる方法などがある。
また、水で膨潤し難い親水性繊維としては、親水化処理の必要のない材料、即ちそれ自体が親水性表面を有する材料を用いて形成された繊維が挙げられ、セルロースの分子内又は分子間を適当な架橋剤によって架橋させた架橋セルロース繊維（パルプ繊維）やセルロースの結晶化度を向上させたポリノジックレーヨン繊維、ポリビニルアルコール繊維、アクリル繊維等が挙げられる。これらの中でも、製造経費の面から、セルロースからなる木材パルプに架橋処理を施した架橋パルプ繊維が好ましい。
【００２８】
上記架橋パルプ繊維とは、セルロース繊維の分子内及び／又は分子間を架橋させた架橋セルロース繊維を意味する。セルロース繊維を架橋するための方法に特に制限はないが、例えば、架橋剤を用いた架橋方法が挙げられる。かかる架橋剤の例としては、ジメチロールエチレン尿素及びジメチロールジヒドロキシエチレン尿素等のＮ−メチロール系化合物；クエン酸、トリカルバリル酸及びブタンテトラカルボン酸等のポリカルボン酸；ジメチルヒドロキシエチレン尿素等のポリオール；ポリグリシジルエーテル系化合物の架橋剤などが挙げられる。特に、架橋時に人体に有害なホルマリン等を発生しないポリカルボン酸やポリグリシジルエーテル系化合物の架橋剤が好ましい。
上記架橋剤の使用量は、上記セルロース繊維１００重量部に対して、０．２〜２０重量部とするのが好ましい。使用量が０．２重量部未満であると、上記セルロース繊維の架橋密度が低い為、湿潤時に弾性率が大きく低下してしまう場合があり、使用量が２０重量部を超えると上記セルロース繊維が剛直になり過ぎ、応力がかかった時に上記セルロース繊維が脆くなってしまう場合があるので、上記範囲とするのが好ましい。
上記架橋剤を用いて上記セルロース繊維を架橋するためには、例えば、上記架橋剤の水溶液に必要に応じて触媒を添加したものに、上記セルロース繊維を含浸させ、架橋剤水溶液が設計付着量となる様に上記セルロース繊維を脱水し、次いで架橋温度に加熱するか、又は、スプレー等により架橋剤水溶液を上記セルロース繊維に設計付着量となる様に散布し、その後、架橋温度に加熱し、架橋反応させる。なお、市販の架橋セルロース繊維としては、Weyerhaeuser Paper Co.製の「High Bulk Additive  ＨＢＡ」等が挙げられる。
【００２９】
吸収体４の有する繊維が含有する低水分保持性繊維４２以外の繊維としては、天然系の繊維、セルロース系の半合成繊維等が挙げられ、パルプ又はレーヨンが好ましく用いられる。これらの繊維は１種又は２種以上を用いることができる。
【００３０】
吸収体４の有する抗菌剤４５としては、４級アンモニウム塩化合物、ポリフェノールなどフェノール性水酸基を有する化合物、銀、銅又は亜鉛等抗菌性金属を含む抗菌剤等が挙げられる。これらの抗菌剤は１種又は２種以上を用いることができる。具体的には、金属置換カンクリナイト様鉱物、第四級アンモニウム塩が好ましく用いられる。
金属置換カンクリナイト様鉱物は、広い消臭スペクトルをもち、種々の悪臭、例えばアンモニア、アミン、ピリジン等のアルカリ性臭、低級脂肪酸、メルカプタン等の酸性臭、その他エステル、ケトン、アルデヒド等の中性臭からなる悪臭に対して良好な消臭作用を有すると共に高い抗菌作用を示す。また、金属置換カンクリナイト様鉱物の粒子は、テトラポッド状、金平糖状ないしウニ状の形状を有し、その形状に起因してパルプなどの繊維材料への付着性が極めて良いという利点も有している。金属置換カンクリナイト様鉱物における抗菌性を有する金属としては、例えば銀、銅、亜鉛、ジルコニウム等が挙げられる。
また、第四級アンモニウム塩は、抗菌性及び安全性の高さが良好である。第四級アンモニウム塩としては、例えば塩化ベンザルコニウムやセチルリン酸ベンザルコニウムなどを好適に用いることができ、特にセチルリン酸ベンザルコニウムを用いることが、抗菌性、安全性及び即効性の高さの点から好ましいが、これらに限定されるものではない。
【００３１】
ナプキン１の備える血球凝集剤８とは、血液中の赤血球を凝集させ、赤血球が凝集した凝集塊と血漿成分が分離されるよう作用するものである。好ましい血球凝集剤としては、擬似血液に、１０００ｐｐｍ添加した際に、血液の流動性が維持された状態で、少なくとも２個以上の赤血球が凝集して凝集塊を形成する性質を有するものである。ここで、「血液の流動性が維持された状態」は、測定サンプル剤が１０００ｐｐｍ添加された擬似血液１０ｇをスクリュー管瓶（マルエム社製  品番「スクリュー管Ｎｏ．４」，口内径１４．５ｍｍ，胴径２７ｍｍ，全長５５ｍｍ）に入れ、該擬似血液を入れたスクリュー管瓶を１８０度反転した際に、２０秒以内で６０％以上の該擬似血液が流れ落ちる状態を意味する。擬似血液とは、Ｂ型粘度計（東機産業株式会社製  型番ＴＶＢ−１０Ｍ、測定条件：ローターＮｏ．１９、３０ｒｐｍ、２３℃、６０秒間）を用いて測定した粘度が８ｍＰａ・ｓになるように脱繊維馬血（株式会社日本バイオテスト研究所製）の血球・血漿比率を調製したものである。また、「２個以上の赤血球が凝集して凝集塊を形成」しているか否かは、次のようにして判断される。すなわち、測定サンプル剤が１０００ｐｐｍ添加された前記擬似血液を、生理食塩水で４０００倍に希釈し、レーザー回折／散乱式粒度分布測定装置（ＨＯＲＩＢＡ社製  型番：ＬＡ−９５０Ｖ２，測定条件：フロー式セル測定，循環速度１，超音波なし）を用いたレーザー回折散乱法によって、温度２５℃にて測定した体積粒径平均のメジアン径が、２個以上の赤血球が凝集した凝集塊のサイズに相当する１０μｍ以上である場合に、「２個以上の赤血球が凝集して凝集塊を形成」を形成していると判断する。
【００３２】
本発明の生理用吸収性物品に使用される血球凝集剤８としては、カチオン性ポリマーが好適である。カチオン性ポリマーとしては、例えばカチオン化セルロースや、塩化ヒドロキシプロピルトリモニウムデンプン等のカチオン化デンプンなどが挙げられる。また、血球凝集剤８は、カチオン性ポリマーとして、第４級アンモニウム塩ホモポリマー、第４級アンモニウム塩共重合物又は第４級アンモニウム塩重縮合物を含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。血球凝集剤８が、カチオン性ポリマーとして、第４級アンモニウム塩ホモポリマー及び／又は第４級アンモニウム塩共重合物及び／又は第４級アンモニウム塩重縮合物を含む場合、該血球凝集剤８は、第４級アンモニウム塩ホモポリマー、第４級アンモニウム塩共重合物及び第４級アンモニウム塩重縮合物のうちのいずれか１種を含んでいてもよく、あるいは任意の２種以上の組み合わせを含んでいてもよい。また第４級アンモニウム塩ホモポリマーは、１種を単独で又は２種以上を組み合わせて用いることができる。同様に、第４級アンモニウム塩共重合物は、１種を単独で又は２種以上を組み合わせて用いることができる。更に同様に、第４級アンモニウム塩重縮合物は、１種を単独で又は２種以上を組み合わせて用いることができる。なお、本明細書において「血球凝集剤」とは、血液の赤血球を凝集させることができる単一の化合物若しくは又はその単一の化合物の複数の組合せ、又は複数の化合物の組み合わせによって赤血球の凝集を発現する剤のことである。つまり、血球凝集剤とは、あくまで血球凝集作用があるものに限定した剤のことである。したがって、血球凝集剤に第三成分を含む場合には、それを血球凝集剤組成物と表現し、血球凝集剤と区別する。なお、ここでいう「単一の化合物」とは、同じ組成式を有するが、繰り返し単位数が異なることにより、分子量が異なる化合物を含める概念である。
【００３３】
上述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。以下の説明においては、簡便のため、第４級アンモニウム塩ホモポリマー、第４級アンモニウム塩共重合物及び第４級アンモニウム塩重縮合物を総称して「第４級アンモニウム塩ポリマー」と言う。
【００３４】
第４級アンモニウム塩ホモポリマーは、第４級アンモニウム部位を有する重合性単量体を１種用い、これを重合することで得られたものである。一方、第４級アンモニウム塩共重合物は、第４級アンモニウム部位を有する重合性単量体を少なくとも１種用い、必要に応じ第４級アンモニウム部位を有さない重合性単量体を少なくとも１種用い、これらを共重合することで得られたものである。すなわち第４級アンモニウム塩共重合物は、第４級アンモニウム部位を有する重合性単量体を２種以上用い、これらを共重合させて得られたものであるか、又は第４級アンモニウム部位を有する重合性単量体を１種以上と、第４級アンモニウム部位を有さない重合性単量体を１種以上用い、これらを共重合させて得られたものである。第４級アンモニウム塩共重合物は、ランダム共重合物でもよく、交互共重合物でもよく、ブロック共重合物でもよく、あるいはグラフト共重合物でもよい。第４級アンモニウム塩重縮合物は、第４級アンモニウム部位を有する単量体１種以上からなる縮合物を用い、それら縮合物を重合することで得られたものである。すなわち第４級アンモニウム塩重縮合物は、第４級アンモニウム部位を有する単量体２種以上の縮合物を用い、これを重合させて得られたものであるか、又は、第４級アンモニウム部位を有する単量体１種以上と、第４級アンモニウム部位を有さない単量体１種以上からなる縮合物を用い、これを縮重合させて得られたものである。
【００３５】
第４級アンモニウム塩ポリマーは、第４級アンモニウム部位を有するカチオン性のポリマーである。第４級アンモニウム部位は、アルキル化剤を用いた第３級アミンの第４級アンモニウム化によって生成させることができる。あるいは第３級アミンを酸若しくは水に溶解させ、中和で生じさせることができる。あるいは縮合反応を含む求核反応による第４級アンモニウム化によって生成させることができる。アルキル化剤としては、例えばハロゲン化アルキルや、硫酸ジメチル及び硫酸ジメチルなどの硫酸ジアルキルが挙げられる。これらのアルキル化剤のうち、硫酸ジアルキルを用いると、ハロゲン化アルキルを用いた場合に起こり得る腐食の問題が生じないので好ましい。酸としては、例えば塩酸、硫酸、硝酸、酢酸、クエン酸、リン酸、フルオロスルホン酸、ホウ酸、クロム酸、乳酸、シュウ酸、酒石酸、グルコン酸、ギ酸、アスコルビン酸、ヒアルロン酸などが挙げられる。特に、アルキル化剤によって第３級アミン部位を第４級アンモニウム化した第４級アンモニウム塩ポリマーを用いると、赤血球の電気二重層を確実に中和できるので好ましい。縮合反応を含む求核反応による第４級アンモニウム化は、ジメチルアミンとエピクロルヒドリンの開環重縮合反応、ジシアンジアミドとジエチレントリアミンの環化反応のようにして生じさせることができる。
【００３６】
経血中に赤血球の凝集塊を生成させるためには、カチオン性ポリマーを用いることが特に有効であることが本発明者の検討の結果判明した。この理由は次のとおりである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。更に、凝集剤が官能基を有している場合には、該官能基間の相互作用によっても赤血球の凝集が促進されるので好ましい。
【００３７】
赤血球の凝集塊を効果的に生成させる観点から、カチオン性ポリマーは、その分子量が２０００以上であることが好ましく、１万以上であることが更に好ましく、３万以上であることが一層好ましい。カチオン性ポリマーの分子量がこれらの値以上であることによって、赤血球間でのカチオン性ポリマーどうしの絡み合いや、赤血球間でのカチオン性ポリマーの架橋が十分に生じる。分子量の上限値は１０００万以下であることが好ましく、５００万以下であることが更に好ましく、３００万以下であることが一層好ましい。カチオン性ポリマーの分子量がこれらの値以下であることによって、カチオン性ポリマーが経血中へ良好に溶解する。カチオン性ポリマーの分子量は、２０００以上１０００万以下であることが好ましく、２０００以上５００万以下であることが更に好ましく、２０００以上３００万以下であることが一層好ましく、１万以上３００万以下であることが更に一層好ましく、３万以上３００万以下であることが特に好ましい。本発明に言う分子量とは、重量平均分子量のことである。カチオン性ポリマーの分子量は、その重合条件を適切に選択することで制御することができる。カチオン性ポリマーの分子量は、東ソー株式会社製のＨＬＣ−８３２０ＧＰＣを用いて測定することができる。具体的な測定条件は次のとおりである。カラムとしては、東ソー株式会社製のガードカラムαと分析カラムα−Ｍを直列でつないだものを、カラム温度：４０℃で用いる。検出器は、ＲＩ（屈折率）を用いる。測定サンプルとしては、溶離液１ｍＬに対して１ｍｇの測定対象の処理剤（第４級アンモニウム塩ポリマー）を溶解させる。ヒドロキシエチルメタクリレートなどの水溶性重合性単量体を含む共重合体は、水に１５０ｍｍｏｌ／Ｌの硫酸ナトリウムと１質量％の酢酸を溶解させた溶離液を用いる。ヒドロキシエチルメタクリレートなどの水溶性重合性単量体を含む共重合体は、溶離液１０ｍＬに対して、分子量５９００のプルラン、分子量４７３００のプルラン、分子量２１．２万のプルラン、分子量７８．８万のプルラン、各２．５ｍｇ溶解させたプルラン混合物を、分子量標準として用いる。ヒドロキシエチルメタクリレートなどの水溶性重合性単量体を含む共重合体は流速：１．０ｍＬ／ｍｉｎ、注入量：１００μＬで測定する。ヒドロキシエチルメタクリレートなどの水溶性重合性単量体を含む共重合体以外は、エタノール：水＝３：７（体積比）に５０ｍｍｏｌ／Ｌの臭化リチウムと１質量％の酢酸を溶解させた溶離液を用いる。ヒドロキシエチルメタクリレートなどの水溶性重合性単量体を含む共重合体以外は、溶離液２０ｍＬに対して、分子量１０６のポリエチレングリコール（ＰＥＧ）、分子量４００のＰＥＧ、分子量１４７０のＰＥＧ、分子量６４５０のＰＥＧ、分子量５万のポリエチレンオキシド（ＰＥＯ）、分子量２３．５万のＰＥＯ、分子量８７．５万のＰＥＯ、各１０ｍｇ溶解させたＰＥＧ−ＰＥＯ混合物を、分子量標準として用いる。ヒドロキシエチルメタクリレートなどの水溶性重合性単量体を含む共重合体以外は流速：０．６ｍＬ／ｍｉｎ、注入量：１００μＬで測定する。
【００３８】
赤血球の凝集塊を一層効果的に生成させる観点から、カチオン性ポリマーとして第４級アンモニウム塩ポリマーを用いる場合、該第４級アンモニウム塩ポリマーは、その流動電位が１５００μｅｑ／Ｌ以上であることが好ましく、２０００μｅｑ／Ｌ以上であることが更に好ましく、３０００μｅｑ／Ｌ以上であることが一層好ましく、４０００μｅｑ／Ｌ以上であることが更に一層好ましい。第４級アンモニウム塩ポリマーの流動電位がこれらの値以上であることによって、赤血球の電気二重層を十分に中和することができる。流動電位の上限値は１３０００μｅｑ／Ｌ以下であることが好ましく、８０００μｅｑ／Ｌ以下であることが更に好ましく、６０００μｅｑ／Ｌ以下であることが一層好ましい。第４級アンモニウム塩ポリマーの流動電位がこれらの値以下であることによって、赤血球に吸着した第４級アンモニウム塩ポリマーどうしの電気的反発を効果的に防止することができる。第４級アンモニウム塩ポリマーの流動電位は、１５００μｅｑ／Ｌ以上１３０００μｅｑ／Ｌ以下であることが好ましく、２０００μｅｑ／Ｌ以上１３０００μｅｑ／Ｌ以下であることが更に好ましく、３０００μｅｑ／Ｌ以上８０００μｅｑ／Ｌ以下であることが一層好ましく、４０００μｅｑ／Ｌ以上６０００μｅｑ／Ｌ以下であることが更に一層好ましい。第４級アンモニウム塩ポリマーの流動電位は、例えば構成しているカチオン性モノマー自体の分子量、共重合体を構成しているカチオン性モノマーとアニオン性モノマー又はノニオン性モノマーの共重合モル比を調整することで制御することができる。第４級アンモニウム塩ポリマーの流動電位は、スペクトリス株式会社製の流動電位測定器（ＰＣＤ０４）を用いて測定することができる。具体的な測定条件は次のとおりである。まず市販のナプキンに対して、ドライヤーなどを用いて各部材を接着しているホットメルトを無効化し、表面シート、吸収体、裏面シートなどの部材に分解する。分解した各部材に対して、非極性溶媒から極性溶媒までの多段階溶媒抽出法を行い、各部材に用いられている処理剤を分離し、単一の組成物を含んだ溶液を得る。得られた溶液を乾燥・固化させ、１Ｈ−ＮＭＲ（核磁気共鳴法）、ＩＲ（赤外分光法）、ＬＣ（液体クロマトグラフィ）、ＧＣ（ガスクロマトグラフィ）、ＭＳ（質量分析法）、ＧＰＣ（ゲルパーミエーションクロマトグラフィ）、蛍光Ｘ線などを複合して、処理剤の構造を同定する。測定対象の処理剤（第４級アンモニウム塩ポリマー）０．００１ｇを生理食塩水１０ｇに溶解させた測定サンプルに対して、０．００１Ｎのポリエチレンスルホン酸ナトリウム水溶液（測定サンプルが負電荷を有する場合は、０．００１Ｎのポリジアリルジメチルアンモニウムクロライド水溶液）を滴定し、電極間の電位差がなくなるまでに要した滴定量ＸｍＬを測定する。その後、式１により第４級アンモニウム塩ポリマーの流動電位を算出する。
流動電位  ＝  （Ｘ＋０．１９０※）×１０００  ・・・  式１
（※ 溶媒の生理食塩水に要した滴定量）
【００３９】
カチオン性ポリマーが、赤血球の表面に首尾よく吸着するためには、該カチオン性ポリマーが、赤血球の表面に存在しているシアル酸と相互作用しやすいことが有利である。この観点から本発明者が検討を推し進めたところ、物質の無機性値と有機性値との比率である無機性値／有機性値の値（以下「ＩＯＢ（Ｉｎｏｒｇａｎｉｃ  Ｏｒｇａｎｉｃ  Ｂａｌａｎｃｅ）値」という。）を尺度として、シアル酸結合物とカチオン性ポリマーとの相互作用の程度を評価できることが判明した。詳細には、カチオン性ポリマーとして、シアル酸結合物のＩＯＢ値と同じか、それに近似した値のＩＯＢ値を有するものを用いることが有利であることが判明した。シアル酸結合物とは、生体内でシアル酸が存在し得る形態となっている化合物のことであり、例えばガラクト脂質などの糖脂質の末端にシアル酸が結合している化合物などが挙げられる。
【００４０】
一般に、物質の性状は、分子間の各種分子間力に大きく支配され、この分子間力は主に分子質量によるVan Der Waals力と、分子の極性による電気的親和力からなっている。物質の性質の変化に対して大きな影響を与えるVan Der Waals力と、電気的親和力のそれぞれを個別に把握することができれば、その組み合わせから未知の物質、あるいはそれらの混合物についてもその性状を予測することができる。この考え方は、「有機概念図論」として良く知られている理論である。有機概念図論は、例えば藤田穆著の「有機分析」（カニヤ書店、昭和５年）、藤田穆著の「有機定性分析：系統的．純粋物編」（共立出版、１９５３年）、藤田穆著の「改編 化学実験学−有機化学編」（河出書房、１９７１年）、藤田穆・赤塚政実著の「系統的有機定性分析（混合物編）」（風間書房、１９７４年）、及び甲田善生・佐藤四郎・本間善夫著の「新版 有機概念図 基礎と応用」（三共出版、２００８年）等に詳述されている。有機概念図論では、物質の物理化学的物性について、主にVan Der Waals力による物性の程度を「有機性」と呼び、また主に電気的親和力による物性の程度を「無機性」と呼び、物質の物性を「有機性」と「無機性」の組み合わせでとらえている。そして、炭素（Ｃ）１個を有機性２０と定義し、それに対して各種極性基の無機性及び有機性の値を、以下の表１に記載のとおり定め、無機性値の和と有機性値の和を求め、両者の比をＩＯＢ値と定義している。本発明においては、これらの有機性値及び無機性値に基づき、上述したシアル酸結合物のＩＯＢ値を決定し、その値に基づきカチオン性ポリマーのＩＯＢ値を決定する。
【００４１】
【表１】
2017217071.tif 000003
【００４２】
具体的には、カチオン性ポリマーがホモポリマーである場合、該ホモポリマーの繰り返し単位に基づき無機性値及び有機性値を決定し、ＩＯＢ値を算出する。例えば、カチオン性ポリマーであるポリジアリルジメチルアンモニウムクロライドの場合、−Ｃ−×８＝１６０の有機性値と、Ammo and NH4 salt×１＝４００の無機性値と、Ring(non-aromatic single ring)×１＝１０の無機性値と、−Ｃｌ×１＝４０の有機性値及び１０の無機性値とを有することから、無機性値の合計は４００＋１０＋１０＝４２０となり、有機性値の合計は１６０＋４０＝２００となる。したがってＩＯＢ値は４２０／２００＝２．１０となる。
【００４３】
一方、カチオン性ポリマーが共重合物である場合には、共重合に用いられるモノマーのモル比に応じて以下の手順でＩＯＢ値を算出する。すなわち、共重合物がモノマーＡとモノマーＢとから得られ、モノマーＡの有機性値がＯＲＡで、無機性値がＩＮＡであり、モノマーＢの有機性値がＯＲＢで、無機性値がＩＮＢであり、モノマーＡ／モノマーＢのモル比がＭＡ／ＭＢである場合、共重合物のＩＯＢ値は以下の式から算出される。
【００４４】
【数１】
2017217071.tif 000004
【００４５】
このようにして決定されたカチオン性ポリマーのＩＯＢ値は、０．６以上であることが好ましく、１．８以上であることがより好ましく、２．１以上であることが更に好ましく、２．２以上であることが一層好ましい。また、カチオン性ポリマーのＩＯＢ値は、４．６以下であることが好ましく、３．６以下であることが更に好ましく、３．０以下であることが一層好ましい。具体的には、カチオン性ポリマーのＩＯＢ値は、０．６以上４．６以下であることが好ましく、１．８以上３．６以下であることがより好ましく、２．１以上３．６以下であることが更に好ましく、２．２以上３．０以下であることが一層好ましい。なお、シアル酸のＩＯＢ値は、シアル酸単体で４．２５であり、シアル酸結合体で３．８９である。前記シアル酸結合物とは、糖脂質における糖鎖とシアル酸が結合したものであり、シアル酸結合体は、シアル酸単体よりも有機性値の割合が高くなり、ＩＯＢ値は低くなる。
【００４６】
カチオン性ポリマーのＩＯＢ値は上述のとおりであるところ、有機性値そのものは４０以上であることが好ましく、１００以上であることが更に好ましく、１３０以上であることが一層好ましい。また、３１０以下であることが好ましく、２５０以下であることがより好ましく、２４０以下であることが更に好ましく、１９０以下であることが一層好ましい。例えば有機性値は、４０以上３１０以下であることが好ましく、４０以上２５０以下であることがより好ましく、１００以上２４０以下であることが更に好ましく、１３０以上１９０以下であることが一層好ましい。カチオン性ポリマーの有機性値をこの範囲に設定することで、該カチオン性ポリマーが赤血球に一層首尾よく吸着するようになる。
【００４７】
一方、カチオン性ポリマーの無機性値に関しては、７０以上であることが好ましく、９０以上であることが更に好ましく、１００以上であることが一層好ましく、１２０以上であることが更に一層好ましく、２５０以上であることが特に好ましい。また、７９０以下であることが好ましく、７５０以下であることが更に好ましく、７００以下であることが一層好ましく、６８０以下であることが更に一層好ましく、４９０以下であることが特に好ましい。例えば無機性値は、７０以上７９０以下であることが好ましく、９０以上７５０以下であることが更に好ましく、９０以上６８０以下であることが一層好ましく、１２０以上６８０以下であることが更に一層好ましく、２５０以上４９０以下であることが特に好ましい。カチオン性ポリマーの無機性値をこの範囲に設定することで、該カチオン性ポリマーが赤血球に一層首尾よく吸着するようになる。
【００４８】
カチオン性ポリマーを赤血球に更に一層首尾よく吸着させる観点から、該カチオン性ポリマーの有機性値をｘとし、無機性値をｙとしたとき、ｘとｙが以下の式Ａを満たすことが好ましい。
ｙ＝ａｘ    （Ａ）
式中、ａは０．６６以上であることが好ましく、０．９３以上であることが更に好ましく、１．９６以上であることが一層好ましい。また、ａは、４．５６以下あることが好ましく、４．１９以下であることが更に好ましく、３．５以下であることが一層好ましい。例えばａは、０．６６以上４．５６以下の数であることが好ましく、０．９３以上４．１９以下の数であることが更に好ましく、１．９６以上３．５以下の数であることが一層好ましい。特に、カチオン性ポリマーの有機性値及び無機性値が上述の範囲内であることを条件として、該カチオン性ポリマーの有機性値及び無機性値が前記の式Ａを満たす場合には、該カチオン性ポリマーがシアル酸結合体と相互作用しやすくなり、該カチオン性ポリマーが赤血球に更に一層吸着しやすくなる。
【００４９】
赤血球の凝集塊を効果的に生成させる観点から、カチオン性ポリマーは水溶性であることが好ましい。本発明において「水溶性」とは、１００ｍＬのガラスビーカー（５ｍｍΦ）に０．０５ｇの１ｍｍ以下の粉末状または厚み０．５ｍｍ以下のフィルム状カチオン性ポリマーを２５℃の５０ｍＬイオン交換水に添加混合したときに、長さ２０ｍｍ、幅７ｍｍのスターラーチップを入れ、アズワン株式会社製マグネチックスターラーＨＰＳ−１００を用いて６００ｒｐｍ攪拌下、その全量が２４時間以内に水に溶解する性質のことである。なお、本発明において、さらに好ましい溶解性としては、全量が３時間以内に水に溶解することが好ましく、全量が３０分以内に水に溶解することがさらに好ましい。
【００５０】
カチオン性ポリマーは、主鎖とそれに結合した複数の側鎖とを有する構造のものであることが好ましい。特に第４級アンモニウム塩ポリマーは、主鎖とそれに結合した複数の側鎖とを有する構造のものであることが好ましい。第４級アンモニウム部位は側鎖に存在していることが好ましい。この場合、主鎖と側鎖とが１点で結合していると、側鎖の可撓性が阻害されにくくなり、側鎖に存在している第４級アンモニウム部位が赤血球の表面に円滑に吸着するようになる。尤も本発明において、カチオン性ポリマーの主鎖と側鎖とが２点又はそれ以上で結合していることは妨げられない。本発明において「１点で結合している」とは、主鎖を構成する炭素原子のうちの１個が、側鎖の末端に位置する１個の炭素原子と単結合していることをいう。「２点以上で結合している」とは、主鎖を構成する炭素原子のうちの２個以上が、側鎖の末端に位置する２個以上の炭素原子とそれぞれ単結合していることをいう。
【００５１】
カチオン性ポリマーが、主鎖とそれに結合した複数の側鎖とを有する構造のものである場合、例えば第４級アンモニウム塩ポリマーが、主鎖とそれに結合した複数の側鎖とを有する構造のものである場合、各側鎖の炭素数は４以上であることが好ましく、５以上であることが更に好ましく、６以上であることが一層好ましい。炭素数の上限値は、１０以下であることが好ましく、９以下であることが更に好ましく、８以下であることが一層好ましい。例えば側鎖の炭素数は４以上１０以下であることが好ましく、５以上９以下であることが更に好ましく、６以上８以下であることが一層好ましい。側鎖の炭素数とは、該側鎖における第４級アンモニウム部位（カチオン部位）の炭素数のことであり、対イオンであるアニオン中に炭素が含まれているとしても、その炭素は計数に含まない。特に、側鎖の炭素原子のうち、主鎖に結合している炭素原子から、第４級窒素に結合している炭素原子までの炭素数が上述の範囲であることが、第４級アンモニウム塩ポリマーが赤血球の表面の表面に吸着するときの立体障害性が低くなるので好ましい。
【００５２】
第４級アンモニウム塩ポリマーが、第４級アンモニウム塩ホモポリマーである場合、該ホモポリマーとしては、例えば第４級アンモニウム部位又は第３級アミン部位を有するビニル系単量体の重合物が挙げられる。第３級アミン部位を有するビニル系単量体を重合する場合には、重合前に及び／又は重合後に、第３級アミン部位をアルキル化剤によって第４級アンモニウム化した第４級アンモニウム塩ホモポリマーとなるか、重合前に及び／又は重合後に、第３級アミン部位を酸によって中和した第３級アミン中和塩となるか、重合後に水溶液中でカチオンを帯びる第３級アミンとなる。アルキル化剤や酸の例は、先に述べたとおりである。
【００５３】
特に第４級アンモニウム塩ホモポリマーは、以下の式１で表される繰り返し単位を有することが好ましい。
【００５４】
【化１】
2017217071.tif 000005
【００５５】
第４級アンモニウム塩ホモポリマーの具体例としては、ポリエチレンイミンなどが挙げられる。また、第４級アンモニウム部位を有する側鎖が、主鎖と１点で結合しているものであるポリ（２−メタクリルオキシエチルジメチルアミン４級塩）、ポリ（２−メタクリルオキシエチルトリメチルアンモニウム塩）、ポリ（２−メタクリルオキシエチルジメチルエチルアンモニウムメチル硫酸塩）、ポリ（２−アクリルオキシエチルジメチルアミン４級塩）、ポリ（２−アクリルオキシエチルトリメチルアミン４級塩）、ポリ（２−アクリルオキシエチルジメチルエチルアンモニウムエチル硫酸塩）、ポリ（３−ジメチルアミノプロピルアクリルアミド４級塩）、ポリメタクル酸ジメチルアミノエチル、ポリアリルアミン塩酸塩、カチオン化セルロース、ポリエチレンイミン、ポリジメチルアミノプロピルアクリルアミド、ポリアミジンなどが挙げられる。一方、第４級アンモニウム部位を有する側鎖が、主鎖と２点以上で結合しているホモポリマーの例としては、ポリジアリルジメチルアンモニウムクロライド、ポリジアリルアミン塩酸塩が挙げられる。
【００５６】
第４級アンモニウム塩ポリマーが、第４級アンモニウム塩共重合物である場合には、該共重合物として、上述した第４級アンモニウム塩ホモポリマーの重合に用いられる重合性単量体を２種以上用い共重合して得られた共重合物を用いることができる。あるいは、第４級アンモニウム塩共重合物として、上述した第４級アンモニウム塩ホモポリマーの重合に用いられる重合性単量体を１種以上と、第４級アンモニウム部位を有さない重合性単量体を１種以上用い共重合して得られた共重合物を用いることができる。更に、ビニル系重合性単量体に加えて、又はそれに代えて、他の重合性単量体、例えば−ＳＯ2−などを用いることもできる。第４級アンモニウム塩共重合物は、上述したとおり、二元系の共重合物又は三元系以上の共重合物であり得る。
【００５７】
特に、第４級アンモニウム塩共重合物は、前記の式１で表される繰り返し単位と、以下の式２で表される繰り返し単位とを有することが、赤血球の凝集塊を効果的に生成させる観点から好ましい。
【００５８】
【化２】
2017217071.tif 000006
【００５９】
また、第４級アンモニウム部位を有さない重合性単量体としては、カチオン性重合性単量体、アニオン性重合性単量体、又はノニオン性重合性単量体を用いることができる。これらの重合性単量体中で、特にカチオン性重合性単量体又はノニオン性重合性単量体を用いることで、第４級アンモニウム塩共重合物内において第４級アンモニウム部位との電荷相殺が起こらないので、赤血球の凝集を効果的に生じさせることができる。カチオン性重合性単量体の例としては、特定の条件下でカチオンを帯びる窒素原子を有する環状化合物としてビニルピリジンなど、特定の条件下でカチオンを帯びる窒素原子を主鎖に有する直鎖状化合物としてジシアンジアミドとジエチレントリアミンの縮合化合物などが挙げられる。アニオン性重合性単量体の例としては、２−アクリルアミド−２−メチルプロパンスルホン酸、メタクリル酸、アクリル酸、及び、スチレンスルホン酸、並びに、これらの化合物の塩などが挙げられる。一方、ノニオン性重合性単量体の例としては、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート、ブチルアクリレートなどが挙げられる。これらカチオン性重合性単量体、アニオン性重合性単量体、又はノニオン性重合性単量体は、それらのうちの一つを用いることができ、あるいは任意の２種以上を組み合わせて用いることができる。またカチオン性重合性単量体を２種以上組み合わせて用いることができ、アニオン性重合性単量体を２種以上組み合わせて用いることができ、あるいはノニオン性重合性単量体を２種以上組み合わせて用いることもできる。カチオン性重合性単量体、アニオン性重合性単量体及び／又はノニオン性重合性単量体を重合性単量体として用いて共重合された第４級アンモニウム塩共重合物は、その分子量が、上述のとおり１０００万以下であることが好ましく、特に５００万以下、とりわけ３００万以下であることが好ましい（以下に例示する第４級アンモニウム塩共重合物についても同様である。）。
【００６０】
第４級アンモニウム部位を有さない重合性単量体として、水素結合をすることが可能な官能基を有する重合性単量体を用いることもできる。このような重合性単量体を共重合に用いること、それから得られる第４級アンモニウム塩共重合物を用いて赤血球を凝集させたときに、硬い凝集塊が生じやすくなり、高吸収性ポリマーの吸収性能が一層阻害されにくくなる。水素結合をすることが可能な官能基としては、例えば−ＯＨ、−ＮＨ2、−ＣＨＯ、−ＣＯＯＨ、−ＨＦ、−ＳＨなどが挙げられる。水素結合をすることが可能な官能基を有する重合性単量体の例としては、ヒドロキシエチルメタクリレート、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレートなどが挙げられる。特に、水素結合が強く働く、ヒドロキシエチルメタクリレート、２−ヒドロキシエチルメタクリレート、ヒドロキシエチルアクリレート、ジメチルアクリルアミドなどは、第４級アンモニウム塩ポリマーの赤血球への吸着状態が安定化するので好ましい。これらの重合性単量体は１種を単独で、又は２種以上を組み合わせて用いることができる。
【００６１】
第４級アンモニウム部位を有さない重合性単量体として、疎水性相互作用をすることが可能な官能基を有する重合性単量体を用いることもできる。このような重合性単量体を共重合に用いることで、上述した、水素結合をすることが可能な官能基を有する重合性単量体を用いる場合と同様の有利な効果、すなわち赤血球の硬い凝集塊が生じやすくなるという効果が奏される。疎水性相互作用をすることが可能な官能基としては、例えばメチル基、エチル基、ブチル基等のアルキル基、フェニル基、アルキルナフタレン基、フッ化アルキル基などが挙げられる。疎水性相互作用をすることが可能な官能基を有する重合性単量体の例としては、メチルメタクリレート、メチルアクリレート、エチルメタクリレート、エチルアクリレート、プロピルメタクリレート、プロピルアクリレート、ブチルメタクリレート、ブチルアクリレート、スチレンなどが挙げられる。特に、疎水性相互作用が強く働き、第４級アンモニウム塩ポリマーの溶解性を大きく低下させない、メチルメタクリレート、メチルアクリレート、ブチルメタクリレート、ブチルアクリレートなどは、第４級アンモニウム塩ポリマーの赤血球への吸着状態が安定化するので好ましい。これらの重合性単量体は１種を単独で、又は２種以上を組み合わせて用いることができる。
【００６２】
第４級アンモニウム塩共重合物中での、第４級アンモニウム部位を有する重合性単量体と、第４級アンモニウム部位を有さない重合性単量体とのモル比は、該第４級アンモニウム塩共重合物によって赤血球が十分に凝集するように適切に調整されることが好ましい。あるいは、第４級アンモニウム塩共重合物の流動電位が、上述した値となるように調整されることが好ましい。あるいは、第４級アンモニウム塩共重合物のＩＯＢが、上述した値となるように調整されることが好ましい。特に、第４級アンモニウム塩共重合物における第４級アンモニウム部位を有する重合性単量体のモル比は１０モル％以上であることが好ましく、２２モル％以上であることが更に好ましく、３２モル％以上であることが一層好ましく、３８モル％以上であることが更に一層好ましい。また、１００モル％以下であることが好ましく、８０モル％以下であることが更に好ましく、６５モル％以下であることが一層好ましく、５６モル％以下であることが更に一層好ましい。具体的には、第４級アンモニウム部位を有する重合性単量体のモル比は１０モル％以上１００モル％以下であることが好ましく、２２モル％以上８０モル％以下であることが更に好ましく、３２モル％以上６５モル％以下であることが更に好ましく、３８モル％以上５６モル％以下であることが一層好ましい。
【００６３】
第４級アンモニウム塩ポリマーが、第４級アンモニウム塩重縮合物である場合には、該重縮合物として、上述した第４級アンモニウム部位を有する単量体１種以上からなる縮合物を用い、それらの縮合物を重合することで得られた重縮合物を用いることができる。具体例としては、ジシアンジアミド／ジエチレントリアミン重縮合物、ジメチルアミン／エピクロルヒドリン重縮合物などが挙げられる。
【００６４】
上述した第４級アンモニウム塩ホモポリマー及び第４級アンモニウム塩共重合物は、ビニル系重合性単量体の単独重合法又は共重合法によって得ることができる。重合方法としては、例えばラジカル重合、リビングラジカル重合、リビングカチオン重合、リビングアニオン重合、配位重合、開環重合、重縮合などを用いることができる。重合条件に特に制限はなく、目的とする分子量、流動電位、及び／又はＩＯＢ値を有する第４級アンモニウム塩ポリマーが得られる条件を適切に選択すればよい。
【００６５】
以上に詳述したカチオン性ポリマーは上述した「好ましい血球凝集剤８」の例示であり、その効果は特願２０１５−２３９２８６号の実施例１乃至４５によって参照可能である。
【００６６】
また、ナプキン１の備える血球凝集剤８としては、上述したように、ポリカチオン（カチオン性ポリマー）以外に、第三成分、例えば、溶媒、可塑剤、香料、スキンケア剤等を含んだ組成物（血球凝集剤組成物）の形態で付与されていてもよい。また、この血球凝集剤８に含まれ得るカチオン性ポリマー以外の成分は、１種又は２種以上混合することができる。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。香料としては、特許第４７７６４０７号公報に記載されているグリーンハーバル様香気を有する香料、植物の抽出エキス、柑橘類の抽出エキスなどを用いることができる。スキンケア剤としては、特許第４０８４２７８号公報に記載されている植物エキス、コラーゲン、天然保湿成分、保湿剤、角質柔軟化剤、消炎剤などを用いることができる。
【００６７】
血球凝集剤組成物に占めるカチオン性ポリマーの割合は、１質量％以上であることが好ましく、３質量％以上であることが更に好ましく、５質量％以上であることが一層好ましい。また、５０質量％以下であることが好ましく、３０質量％以下であることが更に好ましく、１０質量％以下であることが一層好ましい。例えばカチオン性ポリマーの割合は、１質量％以上５０質量％以下であることが好ましく、３質量％以上３０質量％以下であることが更に好ましく、５質量％以上１０質量％以下であることが一層好ましい。血球凝集剤組成物に占めるカチオン性ポリマーの割合をこの範囲内に設定することで、生理用吸収性物品に有効量のカチオン性ポリマーを付与することができる。
【００６８】
上述したように、ナプキン１では、図４及び図５に示すように、血球凝集剤８は、吸収性シートからなる吸収体４に配されている。吸収体４を構成する吸収性シートに含有される血球凝集剤８の量は、０．１ｇ／ｍ2以上であることが好ましく、０．５ｇ／ｍ2以上であることが更に好ましく、１．５ｇ／ｍ2以上であることが一層好ましい。また２５ｇ／ｍ2以下であることが好ましく、１５ｇ／ｍ2以下であることが更に好ましく、１０ｇ／ｍ2以下であることが一層好ましい。例えば血球凝集剤８の量は、０．１ｇ／ｍ2以上２５ｇ／ｍ2以下であることが好ましく、０．５ｇ／ｍ2以上１５ｇ／ｍ2以下であることが更に好ましく、１．５ｇ／ｍ2以上１０ｇ／ｍ2以下であることが一層好ましい。この範囲の量で血球凝集剤８を施すことで、排泄された経血中の赤血球を効果的に凝集させることができる。なお、血球凝集剤８が、例えば後述する本体吸収性シート４０１及び中央吸収性シート４０２の双方に施されている場合など、２つ以上の部位に施されている場合、前記の量は、各部位に施されている血球凝集剤８の総和のことである。なお、血球凝集剤８がカチオン性ポリマーであって、吸収性シートに含まれるカチオン性ポリマーの量が上述の範囲であることが特に好ましい。
【００６９】
ナプキン１では、吸収体４は、図３及び図４に示すように、吸収性シートで形成された多層構造となっている。ここで、前記形成された多層構造は、吸収性シートを複数枚重ね合わせて形成されたものであってもよいし、１枚の吸収性シートを折り重ねて形成されたものであってもよいし、これらを複合して形成されたものであってもよい。ナプキン１では、吸収体４は、図３及び図４に示すように、着用時に着用者の排泄部に対向配置される排泄部対向部Ｂに吸収性シートで形成された中央吸収性シート４０２と、中央吸収性シート４０２を覆う本体吸収性シート４０１とで構成されている。即ち、ナプキン１の吸収体４は、本体吸収性シート４０１及び中央吸収性シート４０２からなる多層構造が形成されており、排泄部対向部Ｂに中高部４０３を形成している。ナプキン１の吸収体４の多層構造は、１枚の本体吸収性シート４０１の折り畳み構造の内部に中央吸収性シート４０２が内包された構造を有し、この中央吸収性シート４０２が中高部４０３に配されている。
【００７０】
好適に、ナプキン１では、図３及び図４に示すように、本体吸収性シート４０１は、ナプキン１よりも横方向Ｙの長さ（幅）が長い、１枚のシートからなり、該本体吸収性シート４０１の縦方向Ｘに沿う両側部を裏面シート３側に折り返して２層構造とし、且つその縦方向Ｘに沿う両側縁どうしを横方向Ｙの中央にて重ね合わせて、吸収体４の外形を形成している。このように２層構造を形成する本体吸収性シート４０１は、表面シート２側の表面側吸収性シート４０１ａと裏面シート３側の裏面側吸収性シート４０１ｂとを有している。中央吸収性シート４０２は、１枚の平面視矩形形状のシートからなり、該中央吸収性シート４０２を横方向Ｙに３つ折りした３層構造となっている。中央吸収性シート４０２を３層構造とする際には、中央吸収性シート４０２を縦方向Ｘに横断する２本の折り曲げ線において、横方向Ｙの自由端から数えての２本目の折り曲げ線にて裏面シート３側に折り曲げ、更に横方向Ｙの自由端から数えての１本目の折り曲げ線にて表面シート２側に折り曲げ、横方向Ｙの自由端が３層構造の内部に配されるように、渦巻き状に折り畳む。このように渦巻き状に３つ折りした３層構造を形成する中央吸収性シート４０２は、表面側吸収性シート４０１ａ側の上側吸収性シート４０２ａと、裏面側吸収性シート４０１ｂ側の下側吸収性シート４０２ｂと、それらのシート４０２ａ，４０２ｂの間の中間吸収性シート４０２ｃとを有している。中高部４０３は、上側吸収性シート４０２ａ、中間吸収性シート４０２ｃ及び下側吸収性シート４０２ｂからなる３層構造のシートを、表面側吸収性シート４０１ａと裏面側吸収性シート４０１ｂとで挟んで形成されている。中高部４０３は、排泄部対向部Ｂのみに形成され、前方部Ａ及び後方部Ｃには形成されていない。図４に示すように、中高部４０３の周囲における吸収体４を構成する吸収性シートの積層枚数が２枚であるのに対し、中高部４０３における吸収体４を構成する吸収性シートの積層枚数が５枚と積層枚数が多く、厚みが大きい部分となっている。このため、中高部４０３は、排泄部対向部Ｂに、表面シート２側（ナプキン１の肌対向面側）に突出した隆起部となっている。
【００７１】
吸収性シート１枚あたりの厚みとしては、好ましくは０．１ｍｍ以上、特に０．３ｍｍ以上であり、また、好ましくは２ｍｍ以下、特に１．５ｍｍ以下であることが好ましい。より具体的には、０．１ｍｍ以上２ｍｍ以下、特に０．３ｍｍ以上１．５ｍｍ以下であることが、液拡散性、液保持性を十分に備えてかつ装着感の良好な生理用吸収性物品を得る点から好ましい。
【００７２】
吸収体４は、中高部４０３における厚みが、好ましくは０．７ｍｍ以上、更に好ましくは１ｍｍ以上であり、また、好ましくは５ｍｍ以下、更に好ましくは４ｍｍ以下であり、より具体的には、好ましくは０．７ｍｍ以上５ｍｍ以下、更に好ましくは１ｍｍ以上４ｍｍ以下である。中高部４０３の厚みをこのような範囲とすることで、中高部４０３が形成されている排泄部対向部Ｂにおける良好な装着感と高い吸収性能を両立することが容易となる。また、本実施形態のナプキン１のように生理用吸収性物品がウイング部を備えている場合には、装着時に排泄部対向部での吸収体のヨレを抑制しやすくなる。また、吸収体は、中高部４０３以外の部分における厚みが、好ましくは０．３ｍｍ以上、更に好ましくは０．５ｍｍ以上であり、また、好ましくは３ｍｍ以下、更に好ましくは２．５ｍｍ以下であり、より具体的には、好ましくは０．３ｍｍ以上３ｍｍ以下、更に好ましくは０．５ｍｍ以上２．５ｍｍ以下である。この範囲であることが、高い吸収性能と着用者の動きへの追従性を高める観点から好ましい。なお、吸収体及び吸収性シートの厚みは下記方法により測定される。
【００７３】
＜吸収性シート及び吸収体の厚みの測定方法＞
測定対象物である吸収性シート又は吸収体を水平な場所にシワや折れ曲がりがないように静置し、５ｃＮ／ｃｍ2の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００７４】
そして、ナプキン１では、繊維リッチ領域ＦＴを肌対向面側に配して使用される部分において、血球凝集剤８は、少なくとも繊維リッチ領域ＦＴに存在している。ここで、ナプキン１のように、吸収体４が吸収性シートで形成された多層構造となっている場合、多層構造を形成する全ての吸収性シートに血球凝集剤８が配されていてもよく、全ての吸収性シートに血球凝集剤８が配されていなくてもよい。ナプキン１では、図４に示すように、表面側吸収性シート４０１ａ及び裏面側吸収性シート４０１ｂからなる２層構造を形成する本体吸収性シート４０１に、血球凝集剤８が配されている。上述したように、本体吸収性シート４０１の縦方向Ｘに沿う両側部を折り返した２層構造となっているので、表面側吸収性シート４０１ａが、繊維リッチ領域ＦＴを肌対向面側に配して使用されており、裏面側吸収性シート４０１ｂが、繊維リッチ領域ＦＴを非肌対向面側に配して使用されている。したがって、中高部４０３では、表面側吸収性シート４０１ａ、上側吸収性シート４０２ａ及び中間吸収性シート４０２ｃが、いずれも、肌当接面側から見て、繊維リッチ領域ＦＴとポリマーリッチ領域ＰＴの順で配置されていて、下側吸収性シート４０２ｂ及び裏面側吸収性シート４０１ｂはいずれも、肌当接面からみて、ポリマーリッチ領域ＰＴと繊維リッチ領域ＦＴとがこの順で配置されている。そして、繊維リッチ領域ＦＴを肌対向面側に配して使用される表面側吸収性シート４０１ａにおいて、血球凝集剤８は、ポリマーリッチ領域ＰＴ及び繊維リッチ領域ＦＴに存在しており、ポリマーリッチ領域ＰＴよりも繊維リッチ領域ＦＴに多く存在している。ここで、「多く存在している」とは、各領域ＦＴ、ＰＴ各々の面積当たりに存在する血球凝集剤８の質量、すなわち、各領域ＦＴ、ＰＴ各々における血球凝集剤８の坪量を比較した場合に一方の領域の血球凝集剤８の坪量が相対的に大きいことを意味する。尚、ナプキン１では、上側吸収性シート４０２ａ、中間吸収性シート４０２ｃ及び下側吸収性シート４０２ｂからなる３層構造を形成する中央吸収性シート４０２に、血球凝集剤８は配されていない。
【００７５】
また、繊維リッチ領域ＦＴを非肌対向面側に配して使用さている、言い換えれば、ポリマーリッチ領域ＰＴを肌対向面側に配して使用さている裏面側吸収性シート４０１ｂにおいては、血球凝集剤８は、ポリマーリッチ領域ＰＴ及び繊維リッチ領域ＦＴに存在しており、ポリマーリッチ領域ＰＴよりも繊維リッチ領域ＦＴに多く存在している。
【００７６】
ナプキン１に血球凝集剤８が配されているか否かは、ナプキン１を構成している構成材料を溶剤に曝して抽出操作を行った後に抽出成分を分析する方法等、当業者であれば容易に分析可能であるが、例えば以下のようにして判断することもできる。
走査型電子顕微鏡（ＳＥＭ）に付随されるエネルギー分散型Ｘ線分析装置（ＥＤＸ）を用い、予め、吸収体４の有する高吸収性ポリマー４１、吸収体４の有する低水分保持性繊維４２、吸収体４の有する抗菌剤４５、及び血球凝集剤８、それぞれの元素分析を行う。次いで、血球凝集剤８が配されているか否か判断したい試料片をアルミ製の試料台にカーボン製の両面テープを用いて貼り付け、必要に応じて白金/バナジウムコーティングを行った後、ＳＥＭ観察で拡大しながらＥＤＸ（元素分析装置）を用いて血球凝集剤８の元素の有無について確認を行う。測定は、１５ｋＶ〜４０ｋＶの加速電圧で行う。
【００７７】
また、血球凝集剤８がポリマーリッチ領域ＰＴよりも繊維リッチ領域ＦＴに多く存在しているか否かは、以下のように半定量的に判断する。
ポリマーリッチ領域ＰＴと繊維リッチ領域ＦＴとを備え、血球凝集剤８を含有する吸収性シートからなる試料片をアルミ製の試料台にカーボン製の両面テープを用いて貼り付け、必要に応じて白金/バナジウムコーティングを行った後、ＳＥＭ観察で拡大しながらＥＤＸ（元素分析装置）を用いて、高吸収性ポリマー４１の元素のマッピング、低水分保持性繊維４２の元素のマッピング、血球凝集剤８の元素のマッピングを行う。測定は、１５ｋＶ〜４０ｋＶの加速電圧で行う。そして、得られた元素分布のマッピングを見比べて、血球凝集剤８の元素のマッピングが、高吸収性ポリマー４１の元素のマッピングよりも、低水分保持性繊維４２の元素のマッピングに類似している場合に、血球凝集剤８がポリマーリッチ領域ＰＴよりも繊維リッチ領域ＦＴに多く存在していると判断する。
【００７８】
また、血球凝集剤８がポリマーリッチ領域ＰＴよりも繊維リッチ領域ＦＴに多く存在している吸収性シートは、吸収性シートの製造工程において、繊維リッチ領域ＦＴに対して選択的に血球凝集剤８を含有させれば作成できる。例えば、吸収性シートが上下各々に繊維リッチ領域ＦＴである繊維リッチ層と、ポリマーリッチ領域ＰＴであるポリマーリッチ層とが重ねあわされた構造とする場合は、互いの層を別々に作成し、繊維リッチ層に、ポリマーリッチ層と重ねあわせる前に血球凝集剤８を含ませればよい。
【００７９】
例えば、特許２９６３６４７号記載の吸収性シートの場合について説明する。少なくとも低水分保持性繊維４２を含む繊維及び熱溶融性接着繊維または紙力補強剤を含む水スラリーを湿式抄紙して抄造された、湿潤した繊維ウェブ上に高吸収性ポリマーを散布することにより高吸収性ポリマーが繊維間に入り込んだ高吸収性ポリマーリッチ層（ポリマーリッチ領域ＰＴ対応）を形成し、その上に低水分保持性繊維４２を含む繊維及び熱溶融性接着繊維または紙力補強剤を含む繊維集合体が重ね合わせされ一体化、乾燥させて吸収性シートが製造されることで、重ね合わせされる繊維集合体が繊維リッチ層（繊維リッチ領域ＦＴ対応）となる。この重ね合わせる繊維集合体にあらかじめ血球凝集剤８を含有させておく、あるいは、吸収シート製造工程中において、重ね合わせる繊維集合体に血球凝集剤８を噴霧や塗工しながら吸収シートを製造することにより、吸収性ポリマーリッチ層より繊維リッチ層に血球凝集剤８を多く存在させることが可能となる。
なお、高吸収性ポリマーを散布する層は、湿潤ウェブに限られるものはなく、積繊パルプあるいは、抄紙、乾燥して製造された紙および不織布でもよい。高吸収性ポリマーが繊維間に入り込みやすい、という観点では、クレープ処理されたような嵩高な紙やエアースルー不織布などが好ましく、高吸収性ポリマーと高吸収性ポリマーリッチ層の繊維、及び高吸収性ポリマーリッチ層と繊維リッチ層の接着手段としてホットメルトや水溶性接着剤等を使用してもよい。更に高吸収性ポリマーリッチ層に低水分保持性繊維４２を含む繊維を積繊する、あるいは吹き付けることで繊維リッチ層を形成してもよい。また、血球凝集剤８の塗布方法としては、吸収シート製造後に繊維リッチ層側に血球凝集剤８を噴霧や塗工してもよい。
【００８０】
また、ナプキン１では、繊維リッチ領域ＦＴを肌対向面側に配して使用される部分において、抗菌剤４５は、少なくともポリマーリッチ領域ＰＴに存在している。ここで、ナプキン１のように、吸収体４が吸収性シートで形成された多層構造となっている場合、血球凝集剤８と同様に、多層構造を形成する全ての吸収性シートに抗菌剤４５が配されていてもよく、全ての吸収性シートに抗菌剤４５が配されていなくてもよい。ナプキン１では、図４に示すように、表面側吸収性シート４０１ａ及び裏面側吸収性シート４０１ｂからなる２層構造を形成する本体吸収性シート４０１に、抗菌剤４５が配されている。繊維リッチ領域ＦＴを肌対向面側に配して使用される表面側吸収性シート４０１ａにおいて、抗菌剤４５は、ポリマーリッチ領域ＰＴ及び繊維リッチ領域ＦＴに存在している。尚、ナプキン１では、血球凝集剤８と同様に、上側吸収性シート４０２ａ、中間吸収性シート４０２ｃ及び下側吸収性シート４０２ｂからなる３層構造を形成する中央吸収性シート４０２に、抗菌剤４５は配されていない。
【００８１】
また、繊維リッチ領域ＦＴを非肌対向面側に配して使用さている、言い換えれば、ポリマーリッチ領域ＰＴを肌対向面側に配して使用さている裏面側吸収性シート４０１ｂにおいては、抗菌剤４５は、ポリマーリッチ領域ＰＴ及び繊維リッチ領域ＦＴに存在している。
【００８２】
血球凝集剤８及び抗菌剤４５は、平面視して、着用時に着用者の排泄部に対向配置される排泄部対向部Ｂに配されていることが好ましい。ナプキン１では、上述したように、血球凝集剤８及び抗菌剤４５が、吸収体４を構成する２層構造の本体吸収性シート４０１に配されており、ナプキン１では、血球凝集剤８及び抗菌剤４５は、図１及び図２に示すように、排泄部対向部Ｂのみならず、前方部Ａから後方部Ｃに亘る全域に配されている。
【００８３】
また、ナプキン１は、図１〜図４に示すように、ナプキン１の厚み方向に向かって延びる吸収体スリット４４を有している。具体的に、ナプキン１は、吸収体４に吸収体スリット４４を備えている。ナプキン１では、吸収体スリット４４は、図３及び図４に示すように断面視して、血球凝集剤８の配された吸収体４に形成されている。好適に、ナプキン１では、吸収体４の排泄部対向部Ｂに、図１〜図２に示すように、縦方向Ｘに延びる吸収体スリット４４が設けられている。吸収体スリット４４によって、吸収体４に到達した経血が縦方向Ｘに拡散され易くなっているとともに、吸収体４の厚み方向にも浸透し易くなっている。ナプキン１では、図２に示すように、縦方向Ｘに延びる吸収体スリット４４が、縦方向Ｘ及び横方向Ｙの両方向に分散した状態に形成されたスリット領域４４Ｓを有している。複数の吸収体スリット４４が配されたスリット領域４４Ｓは、図２に示すように、排泄部対向部Ｂのみならず、前方部Ａの一部及び後方部Ｃの一部に亘っている。すなわち、吸収体スリット４４が少なくとも排泄部対向部Ｂに存在しており、この排泄部対向部Ｂに位置する吸収体スリット４４を含む領域のことをスリット領域４４Ｓという。
【００８４】
ナプキン１では、吸収体スリット４４は、血球凝集剤８の配された吸収体４、即ち、血球凝集剤８を含む最も肌対向面側の吸収性シートに形成されている。ナプキン１において、血球凝集剤８を含む最も肌対向面側の吸収性シートとは、表面側吸収性シート４０１ａのことである。図３及び図４に示すように、吸収体４を横方向Ｙに沿って断面視したときに、吸収体スリット４４が、少なくとも表面側吸収性シート４０１ａを貫通していればよいが、吸収体４をその厚み方向に亘って全層貫通している。好適に、ナプキン１では、吸収体スリット４４は、排泄部対向部Ｂにおいては、中高部４０３を構成する５枚の積層シート、即ち、表面側吸収性シート４０１ａ、上側吸収性シート４０２ａ、中間吸収性シート４０２ｃ、下側吸収性シート４０２ｂ及び裏面側吸収性シート４０１ｂの全シートを貫通している。また、ナプキン１では、前方部Ａの一部及び後方部Ｃの一部においては、吸収体スリット４４は、表面側吸収性シート４０１ａ及び裏面側吸収性シート４０１ｂを貫通している。
【００８５】
ナプキン1では、スリット領域４４Ｓにおける吸収体スリット４４の配置は、各吸収体スリット４４が、縦方向Ｘ及び横方向Ｙの両方向に分散されている配置であれば、特に制限されないが、中央スリット領域４４Ｓ１には、４本以上の吸収体スリット４４が分散配置されていることが好ましい。中央スリット領域４４Ｓ１とは、スリット領域４４Ｓの内、中央吸収性シート４０２と重なる領域のことである。
また、中央スリット領域４４Ｓ１には、吸収体スリット列が、縦方向Ｘに３列以上形成されていることが好ましく、４列以上がより好ましく、５列以上が更に好ましい。また、個々の吸収体スリット列に含まれる横方向Ｙに離間した吸収体スリット４４の本数は、好ましくは２本以上であり、より好ましくは３本以上である。
スリット領域４４Ｓの縦方向Ｘには、中央スリット領域４４Ｓ１に含まれる吸収体スリット列に加えて、中央スリット領域４４Ｓ１の縦方向Ｘの前後それぞれに、１列又は２以上のスリット列を有することが好ましい。
【００８６】
各吸収体スリット４４を平面視したときの幅Ｗ４４（図２参照）は、０．１ｍｍ以上が好ましく、０．２ｍｍ以上が更に好ましく、また、１ｍｍ以下が好ましく、０．８ｍｍ以下が更に好ましく、また、０．１ｍｍ以上１ｍｍ以下が好ましく、０．２ｍｍ以上０．８ｍｍ以下が更に好ましい。
スリット領域４４Ｓにおける吸収体スリット４４を平面視したときの長さ（長手方向長さ）Ｌ４４は、好ましくは１０ｍｍ以上、更に好ましくは１５ｍｍ以上であり、また、好ましくは３５ｍｍ以下、更に好ましくは２５ｍｍ以下であり、また、好ましくは１０ｍｍ以上３５ｍｍ以下、更に好ましくは１５ｍｍ以上２５ｍｍ以下である。
スリット領域４４Ｓにおける同一吸収体スリット列内における吸収体スリット４４の間隔（幅方向間隔）Ｄ４４は、好ましくは３ｍｍ以上、更に好ましくは７ｍｍ以上、また、好ましくは２０ｍｍ以下、更に好ましくは１５ｍｍ以下であり、また、好ましくは３ｍｍ以上２０ｍｍ以下、更に好ましくは７ｍｍ以上１５ｍｍ以下である。
【００８７】
上述した本実施形態のナプキン１の各構成部材について説明する。
【００８８】
表面シート２としては、単層又は多層構造の不織布や、開孔フィルム等を用いることができるが、親水化剤で処理された不織布からなる表面シートが好ましく使用できる。親水化剤としては、生理用ナプキン等の吸収性物品に従来使用されている各種のもの等を特に制限なく用いることができる。ナプキン１では、図６に示す凹凸構造のシートが用いられている。図６には、ナプキン１における、表面シート２の肌対向面の要部が拡大して示されている。表面シート２の肌対向面２ａ（ナプキン１の肌対向面）には、縦方向Ｘ及び横方向Ｙそれぞれに交差する方向（即ち斜め方向）に延びる窪み部２０が斜め格子状に形成されており、窪み部２０によって表面シート２が多数の領域に区画化されて、多数の区画領域２２が形成されている。図６に示す実施形態では、窪み部２０は、表面シート２の全域に亘って形成されている。これに代えて、窪み部２０を、少なくとも排泄部対向部Ｂに形成しても良い。尚、図６中のＸ方向は、表面シート製造時におけるシートの流れ方向に直交する方向（ＣＤ）と同方向であり、ナプキン１の縦方向Ｘ（図１参照）とも同方向である。また、図６中のＹ方向は、表面シート製造時におけるシートの流れ方向（ＭＤ）と同方向であり、ナプキン１の横方向Ｙ（図１参照）とも同方向である。
【００８９】
表面シート２について更に説明すると、表面シート２は例えば単層構造又は多層構造の不織布などの繊維シートからなり、その肌対向面２ａの全域は、図６に示すように、斜め格子状に形成された窪み部２０及び該窪み部２０で囲まれた凸部２１をそれぞれ多数有する凹凸形状を有している。一方、表面シート２の非肌対向面２ｂは、凹凸形状を実質的に有しておらず、略平坦となっている。
【００９０】
窪み部２０は、繊維シートからなる表面シート２の構成繊維が圧着又は接着されて形成されている。繊維を圧着する手段としては、熱を伴うか又は伴わない圧搾加工、超音波圧搾加工等のエンボス加工等が挙げられる。その結果、表面シート２においては、窪み部２０の密度が凸部２１の密度よりも高くなっている。このことに起因して、窪み部２０は、表面シート２に外力が加わった場合に、変形の可撓軸として作用しやすくなる。本実施形態に係る表面シート２における窪み部２０は、カード法によって形成した繊維ウェブに熱エンボス加工を施して形成されている。窪み部２０においては、表面シート２又はそれを構成する不織布の構成繊維である熱融着性繊維が熱融着により一体化している。窪み部２０における熱融着性繊維は、熱融着成分が溶融して繊維の形態を維持していない。
【００９１】
表面シート２において、窪み部２０は、表面シート２のみに形成されており、該表面シート２の下方に該表面シート２に隣接して配置されている吸収体４には形成されていない。したがって、表面シート２と吸収体４とは、窪み部２０を介しては接合されていない。
【００９２】
窪み部２０は線状であることが好ましい。ここで、「線状」とは、窪み部２０の形状が平面視において図６に示す如き直線に限られず、曲線を含み、各線は、連続線でも良く、あるいは平面視において長方形、正方形、菱形、円形、十字等の多数の凹部（エンボス部）が実質的に間隔を置かずに連なって全体として連続線を形成していても良い。「実質的に間隔を置かずに」とは、凹部の隣り合う間隔が５ｍｍ以内であることを言う。
【００９３】
窪み部２０は、図６に示すように斜め格子状に形成されている。より具体的には、表面シート２は、窪み部２０として、互いに平行に且つ所定の間隔で形成された多数本の第１線状の窪み部２０ａと、互いに平行に且つ所定の間隔で形成された多数本の第２線状の窪み部２０ｂとを有しており、第１線状の窪み部２０ａと第２線状の窪み部２０ｂとが所定の角度をなして互いに交差している。第１線状の窪み部２０ａ及び第２線状の窪み部２０ｂは、いずれも、縦方向Ｘ及び横方向Ｙそれぞれに交差する方向（即ち斜め方向）に直線状に延びている。第１線状の窪み部２０ａの幅と第２線状の窪み部２０ｂの幅は同じであっても良く、あるいは異なっていても良い。第１線状の窪み部２０ａどうし間の間隔と第２線状の窪み部２０ｂどうし間の間隔も、同じであっても良く、あるいは異なっていても良い。
【００９４】
個々の区画領域２２は、それぞれ周囲を線状の窪み部２０に囲まれた領域であり、平面視において菱形形状である。個々の区画領域２２の面積は、例えば０．２５ｃｍ2以上２ｃｍ2以下であることが好ましい。区画領域２２は、平面視において縦方向Ｘよりも横方向Ｙに長い菱形形状とすることができる。あるいはこの逆に、横方向Ｙよりも縦方向Ｘに長い菱形形状とすることもできる。区画領域２２が、ナプキン１の横方向Ｙに長い形状をしている場合には、窪み部２０が多数形成されている表面シート２が、横方向Ｙに高い剛性を保持するようになり、これによりナプキン１の装着状態におけるヨレや皺が効果的に防止される。ナプキン１の装着状態におけるヨレや皺は、主として、着用者の両大腿部間に挟まれたナプキン１が、該大腿部によって横方向Ｙから押圧されることに起因するところ、表面シート２が横方向Ｙに高い剛性を保持していると、横方向Ｙから押圧されてもナプキン１の形状が維持されやすく、ヨレや皺が発生し難くなる。
【００９５】
各区画領域２２には、該区画領域２２を囲む窪み部２０に対して相対的に隆起する凸部２１が形成されており、各区画領域２２は肌対向面２ａ側に頂部２１ａを備えた凸形状をなしている。凸部２１の頂部２１ａは、区画領域２２の中央部に位置している。凸部２１内は、表面シート２の構成繊維２５で満たされている。本発明では線状以外の窪み部を排除はしないが、良好な凸部２１の形成という観点からは、線状の窪み部であることが好ましい。
【００９６】
このように、窪み部２０と凸部２１とが、表面シート２の縦方向Ｘ及び横方向Ｙそれぞれにおいて交互に配置されていることで、ナプキン１の着用者の肌との接触面積が低減して蒸れやかぶれが効果的に防止される。また、凸部２１（区画領域２２）が、窪み部２０によって包囲され、平面視において閉じた形状をしていることにより、凸部２１が窪み部２０によって包囲されていない場合に比して、凸部２１における構成繊維が表面シート２の厚み方向に向かって伸張しやすくなるため凸部２１の厚みが増し、これにより、１）液が素早く透過し、且つ、液残りが少なく、表面シート２の肌との接触面積が減少する、２）凸部２１が規則正しいパターンで形成されるため、視覚的な印象が良好となる、等の効果が奏される。
【００９７】
なお、凹凸構造の表面シートとしては上述した構造のものに代えて、中空の凸部を有する凹凸構造の表面シート、凸部と凹部がそれぞれナプキン１の縦方向又は横方向に延在する畝部と溝部である表面シート等であっても良い。しかし、経血の吸収という観点からは、上述した中実構造の凹凸表面シートであることが好ましい。
【００９８】
なお、裏面シート３としては、生理用ナプキン等の吸収性物品に従来使用されている各種のもの等を特に制限なく用いることができ、透湿性の樹脂フィルムや非透湿性の樹脂フィルムを使用できる。
【００９９】
ナプキン１では、表面シート２と吸収体４との間、及び吸収体４と裏面シート３との間は、接着剤を塗布して固定されていることが好ましい。接着剤は、公知の手段、例えば、スロットコートガン、スパイラルスプレーガン、スプレーガン、或いはドットガンを用いて塗布することができ、ナプキン１では、スパイラルスプレーガンを用いてスパイラル状に塗布することが好ましい。塗布する接着剤としては、例えば、ホットメルト接着剤が好ましく用いられる。ホットメルト接着剤の塗布量は、１．５ｇ／ｍ2以上１０ｇ／ｍ2以下であることが好ましい。
【０１００】
また、ナプキン１のように、吸収体４に吸収体スリット４４を形成するには、吸収性シートの積層体を、公知の切断手段により部分的に切断すればよく、例えば、ロールの周面に、周方向に延びる切断刃が、ロールの周方向及び軸長方向に分散させて多数形成されたカッターロールと、該カッターロールの刃を受けるアンビルロールとを備えた切断装置を用いることができる。
【０１０１】
上述したナプキン１の作用効果と推定メカニズムについて説明する。
ナプキン１では、図４に示すように、吸収体４に、高吸収性ポリマー４１、吸水保持量が０．７ｇ／ｇ以下の低水分保持性繊維４２を含む繊維、抗菌剤４５及び血球凝集剤８が含有されている。その為、ナプキン１の使用中においては、吸収体４の含有する血球凝集剤８によって、経血を赤血球と血漿に分離することができる。そして、糖質及びタンパク質等が溶け込んでいる血液中の液体成分である血漿は、ナプキン１の着用中における排泄部対向部の温度・湿度・ｐＨ等によって皮膚の表面等にいる菌が繁殖する大きな要因の一つと成り得るが、吸収体４中においては、抗菌剤４５によって菌の繁殖が抑えされると共に、液体成分である血漿が、低水分保持性繊維４２を含む繊維によって保持され難く、高吸収性ポリマー４１によって効率的に吸収される。従って、ナプキン１によれば、生理の臭いを抑えることができる。特に、ナプキン１では、吸収性シートからなる吸収体４を構成する繊維が、低水分保持性繊維４２のみで形成されているので、液体成分である血漿が、低水分保持性繊維４２によって更に保持され難く、高吸収性ポリマー４１によって更に効率的に吸収される。
【０１０２】
また、ナプキン１では、図５に示すように、吸収性シートからなる吸収体４は、断面視して、相対的に高吸収性ポリマー４１の多いポリマーリッチ領域ＰＴと、相対的に高吸収性ポリマー４１の少ない繊維リッチ領域ＦＴとを有しており、繊維リッチ領域ＦＴを肌対向面側に配して使用される部分において、血球凝集剤８が、少なくとも繊維リッチ領域ＦＴに存在している。その為、ナプキン１の使用中においては、肌対向面側の繊維リッチ領域ＦＴの血球凝集剤８によって、経血が赤血球と血漿に分離された後、液体成分である血漿が、下層のポリマーリッチ領域ＰＴの高吸収性ポリマー４１で主に吸収することができるようになり、血液を吸収する吸収速度が速くなり易く、着用者の排泄部を更に清潔に保つことができると共に生理の臭いを更に抑えることができる。
【０１０３】
また、ナプキン１では、図５に示すように、吸収性シートからなる吸収体４は、断面視して、繊維リッチ領域ＦＴを肌対向面側に配して使用される部分において、抗菌剤４５が、少なくともポリマーリッチ領域ＰＴに存在している。その為、ナプキン１の使用中においては、肌対向面側の繊維リッチ領域ＦＴの血球凝集剤８によって、経血が赤血球と血漿に分離された後、液体成分である血漿が高吸収性ポリマーに吸い寄せられるため、下層のポリマーリッチ領域ＰＴに配された抗菌剤４５によって菌の繁殖が抑えされると共に、高吸収性ポリマー４１で効率的に吸収され易く、抗菌作用で着用者の排泄部を更に清潔に保つことができると共に生理の臭いを更に抑えることができる。
【０１０４】
また、ナプキン１では、図１〜図３に示すように、血球凝集剤８の配された吸収体４に吸収体スリット４４を有している。その為、ナプキン１の使用中においては、血球凝集剤８にまで経血が流れ易く、流れた経血が血球凝集剤８によって赤血球と血漿に分離され易く、液体成分である血漿が、高吸収性ポリマー４１によって更に効率的に吸収できる。
【０１０５】
また、吸収体スリット４４の切断部は、吸収体スリット４４が設けられていない部分と比べると密度が高くなっており、更に吸収体４の吸収スピードが高められる。また、吸収体スリット４４が吸収体４を完全に貫通することで、吸収体４へ到達した液は、吸収体４の非肌対向面側へ到達しやすくなり吸収体４を効率的に使用した吸収が可能になり、吸収容量の向上と液戻り抑制の点から有利である。
【０１０６】
以上、本発明をその好ましい実施形態に基づき説明したが、本発明の生理用吸収性物品は前記実施形態のナプキン１に何ら制限されるものではなく、適宜変更可能である。
例えば、ナプキン１では、図４に示すように、表面側吸収性シート４０１ａ及び裏面側吸収性シート４０１ｂからなる２層構造を形成する本体吸収性シート４０１に、抗菌剤４５及び血球凝集剤８が配されているが、図７に示すように、本体吸収性シート４０１に抗菌剤４５及び血球凝集剤８が配されておらず、上側吸収性シート４０２ａ、中間吸収性シート４０２ｃ及び下側吸収性シート４０２ｂからなる３層構造を形成する中央吸収性シート４０２に、抗菌剤４５及び血球凝集剤８が配されていてもよい。このように血球凝集剤８及び抗菌剤４５が配されていれば、血球凝集剤８及び抗菌剤４５は、平面視して、排泄部対向部Ｂに配されるようになる。図７に示す吸収体４において、中央吸収性シート４０２は、上述したように、巻き状に３つ折りした３層構造となっているので、上側吸収性シート４０２ａ及び中間吸収性シート４０２ｃが、それぞれ、繊維リッチ領域ＦＴを肌対向面側に配して使用されており、下側吸収性シート４０２ｂが、繊維リッチ領域ＦＴを非肌対向面側に配して使用されている。そして、繊維リッチ領域ＦＴを肌対向面側に配して使用される上側吸収性シート４０２ａ及び中間吸収性シート４０２ｃにおいて、抗菌剤４５及び血球凝集剤８は、ポリマーリッチ領域ＰＴ及び繊維リッチ領域ＦＴに存在しており、血球凝集剤８はポリマーリッチ領域ＰＴよりも繊維リッチ領域ＦＴに多く存在し、抗菌剤４５は繊維リッチ領域ＦＴよりもポリマーリッチ領域ＰＴに多く存在している。
【０１０７】
また、図７に示す吸収体４では、繊維リッチ領域ＦＴを非肌対向面側に配して使用さている、言い換えれば、ポリマーリッチ領域ＰＴを肌対向面側に配して使用さている下側吸収性シート４０２ｂにおいては、抗菌剤４５及び血球凝集剤８は、ポリマーリッチ領域ＰＴ及び繊維リッチ領域ＦＴに存在しており、血球凝集剤８はポリマーリッチ領域ＰＴよりも繊維リッチ領域ＦＴに多く存在し、抗菌剤４５はポリマーリッチ領域ＰＴに存在している。尚、表面側吸収性シート４０１ａは、繊維リッチ領域ＦＴを肌対向面側に配して使用されているが、抗菌剤４５及び血球凝集剤８は配されていない。また、裏面側吸収性シート４０１ｂは、繊維リッチ領域ＦＴを非肌対向面側に配して使用されているが、抗菌剤４５及び血球凝集剤８は配されていない。
図７に示す吸収体４によっても、上述した図４に示す吸収体４を備えるナプキン１と同様な効果を奏することができる。
【０１０８】
また、図８に示すように、上側吸収性シート４０２ａ、中間吸収性シート４０２ｃ及び下側吸収性シート４０２ｂからなる３層構造を形成する中央吸収性シート４０２に、抗菌剤４５が配され、表面側吸収性シート４０１ａ及び裏面側吸収性シート４０１ｂからなる２層構造を形成する本体吸収性シート４０１に血球凝集剤８が配されていてもよい。図８に示す吸収体４は、本体吸収性シート４０１が形成する表面側吸収性シート４０１ａが、繊維リッチ領域ＦＴを肌対向面側に配して使用され、本体吸収性シート４０１が形成する裏面側吸収性シート４０１ｂが、繊維リッチ領域ＦＴを非肌対向面側に配して使用されている。そして、繊維リッチ領域ＦＴを肌対向面側に配して使用される表面側吸収性シート４０１ａにおいて、血球凝集剤８は、ポリマーリッチ領域ＰＴ及び繊維リッチ領域ＦＴに存在しており、ポリマーリッチ領域ＰＴよりも繊維リッチ領域ＦＴに多く存在している。また、繊維リッチ領域ＦＴを非肌対向面側に配して使用さている、言い換えれば、ポリマーリッチ領域ＰＴを肌対向面側に配して使用されている裏面側吸収性シート４０１ｂにおいて、血球凝集剤８は、ポリマーリッチ領域ＰＴ及び繊維リッチ領域ＦＴに存在しており、ポリマーリッチ領域ＰＴよりも繊維リッチ領域ＦＴに多く存在している。
【０１０９】
また、図８に示す吸収体４では、上側吸収性シート４０２ａ及び中間吸収性シート４０２ｃが、それぞれ、繊維リッチ領域ＦＴを肌対向面側に配して使用されており、下側吸収性シート４０２ｂが、繊維リッチ領域ＦＴを非肌対向面側に配して使用されている。そして、繊維リッチ領域ＦＴを肌対向面側に配して使用される上側吸収性シート４０２ａ及び中間吸収性シート４０２ｃにおいて、抗菌剤４５は、ポリマーリッチ領域ＰＴ及び繊維リッチ領域ＦＴに存在しており、繊維リッチ領域ＦＴよりもポリマーリッチ領域ＰＴに多く存在している。また、繊維リッチ領域ＦＴを非肌対向面側に配して使用している、言い換えれば、ポリマーリッチ領域ＰＴを肌対向面側に配して使用している下側吸収性シート４０２ｂにおいて、抗菌剤４５は、ポリマーリッチ領域ＰＴ及び繊維リッチ領域ＦＴに存在しており、繊維リッチ領域ＦＴよりもポリマーリッチ領域ＰＴに多く存在している。
図８に示す吸収体４によれば、中央吸収性シート４０２を覆う本体吸収性シート４０１の表面側吸収性シート４０１ａに配された血球凝集剤８によって、経血を赤血球と血漿に分離することができる。そして、液体成分である血漿は、表面側吸収性シート４０１ａの下層の中央吸収性シート４０２の上側吸収性シート４０２ａ及び中間吸収性シート４０２ｃに配された抗菌剤４５によって菌の繁殖が抑えされると共に、高吸収性ポリマー４１で効率的に吸収され易く、抗菌作用で着用者の排泄部を清潔に保つことができると共に生理の臭いを抑えることができる。
【０１１０】
また、図４、図７及び図８に示すように、吸収体４が吸収性シートで形成された多層構造となっている場合に、含有される血球凝集剤８は、何れの吸収性シート４０１ａ，４０１ｂ，４０２ａ，４０２ｂ，４０２ｃにおいても同じ血球凝集剤８であってもよいし、異なる血球凝集剤８であってもよい。含有される抗菌剤４５も同様である。
【０１１１】
また、図４、図７及び図８に示すように、吸収体４を構成する吸収性シートは、ポリマーリッチ領域ＰＴ及び繊維リッチ領域ＦＴの２層領域で形成されているが、ポリマーリッチ領域ＰＴ及び繊維リッチ領域ＦＴが形成されていなくてもよく、ポリマーリッチ領域ＰＴ及び繊維リッチ領域ＦＴを有する３層以上の領域で形成されていてもよい。
【０１１２】
また、図４、図７及び図８に示すように、抗菌剤４５及び血球凝集剤８は、吸収体４に配されているが、血球凝集剤８は、抗菌剤４５の配された吸収体４よりも肌対向面側に位置する生理用吸収性物品の構成部材に配されていてもよい。例えば、表面シート２と吸収体４との間に、不織布によって構成されたセカンドシートが配されている場合には、吸収体４に抗菌剤４５が配され、該セカンドシートに血球凝集剤８が配されていてもよい。セカンドシートは、表面シート２及び吸収体４とは別体の、当該技術分野においてサブレイヤーシートとも呼ばれるシートである。セカンドシートは、吸収体４の肌対向面の略全域を被覆するように配されて使用される。セカンドシートは、表面シート２から吸収体４への液の透過性を向上させたり、吸収体４に吸収された液の表面シート２への液戻りを低減させたりする役割を担うシートである。セカンドシートとしては、親水性不織布や親水性の繊維集合体からなることが好ましい。不織布としては、エアースルー不織布、ポイントボンド不織布、レジンボンド不織布、スパンレース不織布、エアレイド不織布等が挙げられる。
セカンドシートは、その坪量が、好ましくは１０ｇ／ｍ2以上５０ｇ／ｍ2以下であり、更に好ましくは１５ｇ／ｍ2以上４０ｇ／ｍ2以下である。また、セカンドシートは、その厚みが、好ましくは０．１ｍｍ以上５ｍｍ以下であることが好ましい。このようにセカンドシートに血球凝集剤８が配されている場合、縦方向Ｘに延びる吸収体スリット４４は、血球凝集剤８が配されたセカンドシートに形成されていることが好ましい。また、セカンドシートは、表面シート２や吸収体４と、スパイラル状又はストライプ状等に設けた接着剤を介して部分的に接合されていることが好ましい。
【０１１３】
また、図４、図７及び図８に示すように、抗菌剤４５及び血球凝集剤８は、吸収性シートで形成された吸収体４に配されているが、吸収性シートで形成されていない積繊タイプの吸収性コアと該吸収性コアを包むコアラップシートで形成された吸収体に配されていてもよい。吸収性コアとコアラップシートとで形成された吸収体に、抗菌剤４５及び血球凝集剤８を配する場合には、前記吸収性コアを、高吸収性ポリマー４１及び低水分保持性繊維４２を含む繊維及び抗菌剤４５で形成するとともに、該吸収性コアを包むティッシュペーパー等から形成されたコアラップシートに血球凝集剤８が配されていることが好ましい。このようにコアラップシートに血球凝集剤８が配されている場合、縦方向Ｘに延びる吸収体スリット４４は、血球凝集剤８が配されたコアラップシートに形成されていることが好ましい。また、積繊タイプの吸収性コアとして、ポリマーリッチ領域としてのポリマーリッチ層と繊維リッチ領域としての繊維リッチ層との積層構造としてもよい。
【０１１４】
また、ナプキン１では、排泄部対向部Ｂに経血を縦方向Ｘに拡散する吸収体スリット４４が設けられているが、吸収体スリット４４が無くてもよい。また、ナプキン１の吸収体スリット４４は、図１及び図２に示すように、縦方向Ｘに沿うスリットであるが、縦方向Ｘ及び横方向Ｙの両者に対して角度を有する斜め方向に延びるスリットであってもよい。
【０１１５】
また、ナプキン１では、吸収体スリット４４が設けられた吸収体４に血球凝集剤８が配置されていたが、これに替えて、血球凝集剤８が吸収体４よりも上の構成部材に配置された場合において、血球凝集剤８が配置された構成部材にスリットが設けられていても良い。いずれの態様においても、赤血球凝集によって分離された血漿成分が非肌当接面側へと導かれ易くなる。
【０１１６】
更に、ナプキン１は、その肌対向面に周知技術である防漏溝、即ち表面シート２及び吸収体４が一体的に凹陥してなる平面視線状の高密度部（図示せず）が形成されていることが、該防漏溝の外方に経血等の排泄液が移行し難いため、体液の横漏れ抑制の観点から好ましい。なお、防漏溝の形状としては、排泄部対向部Ｂにおいて、横方向Ｙの外方へ向けて凸となる曲線形状を有するもの又は横方向Ｙの内側へ向けて凸となる曲線形状を有するものが好ましい。
【０１１７】
また、本発明の経血吸収用の生理用吸収性物品は、生理用ナプキンの他、パンティーライナー（おりものシート）等であってもよい。
【符号の説明】
【０１１８】
１  生理用ナプキン（生理用吸収性物品）
２  表面シート
３  裏面シート
４  吸収体
４０１  本体吸収性シート
４０１ａ  表面側吸収性シート
４０１ｂ  裏面側吸収性シート
４０２  中央吸収性シート
４０２ａ  上側吸収性シート
４０２ｂ  下側吸収性シート
４０２ｃ  中間吸収性シート
４１  高吸収性ポリマー
４２  低水分保持性繊維
４４  吸収体スリット
４５  抗菌剤
８  血球凝集剤
ＦＴ  繊維リッチ領域
ＰＴ  ポリマーリッチ領域
【図１】
2017217071.tif 000007
【図２】
2017217071.tif 000008
【図３】
2017217071.tif 000009
【図４】
2017217071.tif 000010
【図５】
2017217071.tif 000011
【図６】
2017217071.tif 000012
【図７】
2017217071.tif 000013
【図８】
2017217071.tif 000014